(57)【特許請求の範囲】
【請求項１】
表示装置を含む筐体の第１の部分と、
前記筐体の第１の部分と連結しキー入力装置を含む筐体の第２の部分と、
少なくとも前記筐体の第２の部分に移動可能に接続されたサブ表示装置と、
前記サブ表示装置の位置に応じて、前記サブ表示装置に表示する情報を変更する制御部とを含む携帯端末装置であって、
前記制御部は、
前記サブ表示装置が前記筐体の第２の部分の背面に位置すると判定した場合、前記サブ表示装置に前記携帯端末装置からのデータを表示し、
前記サブ表示装置が前記筐体の第２の部分の前記キー入力装置側に対面する位置にあると判定した場合、前記サブ表示装置には前記キー入力装置の備えるキーの機能を表示する、
ことを特徴とする携帯端末装置。
【請求項２】
表示装置を含む筐体の第１の部分と、
前記筐体の第１の部分と連結しキー入力装置を含む筐体の第２の部分と、
少なくとも前記筐体の第２の部分に移動可能に接続されたサブ表示装置と、
前記サブ表示装置の位置に応じて、前記サブ表示装置に表示する情報を変更する制御部とを含み、
少なくとも前記サブ表示装置が前記筐体の第２の部分の前記キー入力装置側に対面する位置にあると判定した場合、前記サブ表示装置には前記キー入力装置の備えるキーの機能を表示する、
携帯端末装置。
【請求項３】
前記筐体の第１および第２の部分の両方に第１および第２のサブ表示装置が移動可能に接続される、
ことを特徴とする請求項１或いは請求項２に携帯端末装置。
【請求項４】
前記サブ表示装置の回転角度を検出する回転角度検出部をさらに含む、
ことを特徴とする請求項１或いは請求項２に記載の携帯端末装置。
【請求項５】
前記サブ表示装置のスライドによる位置を検出するスライド検出部をさらに含む、
ことを特徴とする請求項１或いは請求項２に記載の携帯端末装置。
【請求項６】
前記制御部は、前記サブ表示装置が前記筐体の第１の部分または前記筐体の第２の部分の背面に位置すると判定した場合、前記サブ表示装置に前記携帯端末装置からのデータを表示する、
ことを特徴とする請求項２に記載の携帯端末装置。
【請求項７】
前記制御部は、前記サブ表示装置が前記筐体の第１の部分または前記筐体の第２の部分と略同一向きになる状態となったと判定した場合、前記サブ表示装置には前記表示装置に表示されている情報を補佐する情報を表示する、
ことを特徴とする請求項１或いは請求項２に記載の携帯端末装置。
【請求項８】
前記サブ表示装置は、不揮発性表示媒体で構成される、
ことを特徴とする請求項１或いは請求項２に記載の携帯端末装置。
【請求項９】
前記データは、任意の画像データであり、前記不揮発性表示媒体で構成される前記サブ表示装置に表示される、
ことを特徴とする請求項８に記載の携帯端末装置。
【請求項１０】
前記制御部は、前記サブ表示装置が前記筐体の第１の部分または前記筐体の第２の部分に対して予め決められた位置にない状態となったと判定した場合、前記サブ表示装置の表示を消去する、
ことを特徴とする請求項１或いは請求項２に記載の携帯端末装置。
【請求項１１】
表示装置を含む筐体の第１の部分と、
前記筐体の第１の部分と連結しキー入力装置を含む筐体の第２の部分と、
少なくとも前記筐体の第２の部分に移動可能に接続されたサブ表示装置とを含む携帯端末装置における情報表示方法において、
前記サブ表示装置が前記筐体の第１の部分または前記筐体の第２の部分の背面に位置すると判定した場合、前記サブ表示装置に前記携帯端末装置からのデータを表示し、
前記サブ表示装置が前記筐体の第２の部分の前記キー入力装置側に対面する位置にあると判定した場合、前記サブ表示装置には前記キー入力装置の備えるキーの機能を表示する、
ことを特徴とする情報表示方法。
【請求項１２】
表示装置を含む筐体の第１の部分と、
前記筐体の第１の部分と連結しキー入力装置を含む筐体の第２の部分と、
前記筐体の第１の部分および前記筐体の第２の部分の両方に移動可能に接続されたサブ表示装置とを含む携帯端末装置における情報表示方法において、
前記サブ表示装置が前記筐体の第１の部分または前記筐体の第２の部分の背面に位置すると判定した場合、前記サブ表示装置に前記携帯端末装置からのデータを表示し、
前記サブ表示装置が前記筐体の第２の部分の前記キー入力装置側に対面する位置にあると判定した場合、前記サブ表示装置には前記キー入力装置の備えるキーの機能を表示する、
ことを特徴とする情報表示方法。
【請求項１３】
前記サブ表示装置が前記筐体の第１の部分または前記筐体の第２の部分の背面に位置すると判定した場合、前記サブ表示装置に前記携帯端末装置からのデータを表示する、
ことを特徴とする請求項１１或いは請求項１２に記載の情報表示方法。
【請求項１４】
前記サブ表示装置が前記筐体の第１の部分または前記筐体の第２の部分と略同一向きになる状態となったと判定した場合、前記サブ表示装置には前記表示装置に表示されている情報を補佐する情報を表示する、
ことを特徴とする請求項１１或いは請求項１２に記載の情報表示方法。
【請求項１５】
前記サブ表示装置が、前記筐体の第１の部分または前記筐体の第２の部分に対し予め決められた位置にない状態となったと判定した場合、前記サブ表示装置の表示を消去する、
ことを特徴とする請求項１１或いは請求項１２に記載の情報表示方法。
【発明の詳細な説明】
【技術分野】
【０００１】
本発明は、携帯端末装置および情報表示方法に関し、特に、サブ表示装置を用いて表示部の表示領域を拡大することを可能とする、携帯端末装置および情報表示方法に関する。
【背景技術】
【０００２】
一般に、携帯電話機やＰＨＳ（Ｐｅｒｓｏｎａｌ  Ｈａｎｄｙｐｈｏｎｅ  Ｓｙｓｔｅｍ：パーソナルハンディフォンシステム）端末、或いは、ＰＤＡ（Ｐｅｒｓｏｎａｌ  Ｄｉｇｉｔａｌ  Ａｓｓｉｓｔａｎｔｓ：携帯情報端末）などの携帯端末装置は、持ち運びが容易であることを前提に開発されている。従って、携帯端末装置自体が小型であり、携帯端末装置が備える表示装置や入力装置も、より小型のものが使用されている。
しかし、近年においては、インターネット上のサイトのホームページ等を閲覧可能なブラウザ（ｂｒｏｗｓｅｒ）や、地上デジタル放送視聴機能を搭載した携帯端末装置も多くなってきている。このような機能の利用に際しては、上述したとは逆に、携帯端末装置の表示装置の表示エリアを拡大したほうが使い勝手が良いため、表示エリアの拡大が望まれるようになってきている。このような要望に応えるため、表示エリアを拡大することが可能な携帯端末装置が提案されている（例えば、特許文献１参照。）。
【０００３】
上述の特許文献１「表示装置」は、以下のような構成の携帯電話機について記載している。すなわち、携帯電話機本体の表面には表示部が構成されており、表示部は、屈曲可能な高分子フィルム液晶を使用し、Ａ部、Ｂ部、Ｃ部の３部分が連続して１つの可視面を構成するようになっている。Ａ部、Ｂ部、Ｃ部の各部は、通常の携帯電話機に備えられている表示部と同程度の大きさである。そして、Ａ部、Ｂ部、Ｃ部は、３つに折りたたんで、Ａ部１つだけに表示を行うことが可能であり、或いは、３部分を広げてＡ部の３倍の大きさの表示を行うことも可能となっている。このことにより、インターネット等から大量の情報を受信するとき、表示部を広げて１可視面として使用することで、取得した大量の情報をより大きな表示部へ見やすく表示することができる、としている。
【０００４】
また、近年の携帯端末装置は多機能化が進んできているため、携帯端末装置の機能ごとに、入力装置として使用するキーの種類や当該キーの機能を変えることが必要となる。しかし、携帯端末装置の入力装置としてのキー操作部はやはり小さく、キー操作部に配置するキーの数も限定されたものとなっている。そこで、携帯端末装置の機能ごとに使用するキーの種類や当該キーの機能を変えるために、１つのキーに複数の機能を割り当てるようになってきている。そして、１つのキーのキートップには、複数の機能を表す文字や記号などを表記するようにしている。しかし、１つのキーのキートップ上に表記できる文字や記号の数は限定されるため、キートップ上に表記する文字や記号を変更できるような携帯端末装置も望まれるようになってきている。このような要望に応えるため、キートップの文字または記号を、文字、記号を表示する電子ペーパにより可変するように構成した小型電子機器のキー入力装置が提案されている（例えば、特許文献２参照。）。
【０００５】
上述の特許文献２「キー入力装置」は、以下のような構成のキー入力装置について記載している。すなわち、携帯電話を始めとする移動体端末など小型電子機器に適した操作パネルのキートップに、文字または記号を表示するキー入力装置において、回路基板上にスイッチシートを配置する。そして、このスイッチシート上に電子ペーパを配置し、この電子ペーパの上にキートップを有する透明なキーシートを配置する。このことにより、キートップの文字または記号を電子ペーパにより可変できるようになり、電子機器の入力キーの表示を、表示モードに従って可変にし、見やすく使いやすく構成することができる、としている。
【０００６】
さらに、近年の携帯端末装置としては、筐体の色調や模様を変えた多種類のデザインのものが販売されるようになってきている。しかし、ユーザの好みも多様化してきているため、ユーザの好みに合うデザインに変更できるような携帯端末装置も望まれるようになってきている。このような要望に応えるため、外観を自由に変更できる装置が提案されている（例えば、特許文献３参照。）。
【０００７】
上述の特許文献３「装置、筐体および外装体」は、以下のような構成の装置について記載している。すなわち、装置（コンピュータの表示装置）は、液晶表示パネルと駆動回路などを筐体内に収容してなる。筐体の前面パネル部は、前面パネル基体と不揮発性表示媒体（電子ペーパ）と可視光を良好に透過する材質で形成されたカバーとを備えている。不揮発性表示媒体は、装置内の不揮発性表示媒体用の駆動回路によって駆動される。この駆動回路は、液晶表示パネル用の駆動回路とともにコンピュータ本体に接続されており、コンピュータ本体からの制御信号に従って不揮発性表示媒体を駆動する。コンピュータ本体には、不揮発性表示媒体に任意の画像や色調を表示させるためのプログラムがインストールされている。そして、マウスなどの入力装置を操作して、不揮発性表示媒体に表示させる画像や色調を変化させることにより、前面パネル部の色調や模様を変化させることができる。このことにより、塗装の塗り変えや外装体の付け換えなどを行うことなく外観を自由に変更できるようになる、としている。
【０００８】
【特許文献１】特開２００２−２４７１６４号公報（第３−６頁、図１−８）
【特許文献２】特開２００５−３５２９８７号公報（第３−６頁、図１−１１）
【特許文献３】特開２００４−０６２０５２号公報（第５−１０頁、図１−８）
【発明の開示】
【発明が解決しようとする課題】
【０００９】
上述した特許文献１に記載の携帯電話機は、表示部を拡大することは可能となっているが、拡大した表示部の位置に応じて表示情報を変更することに関する記載は成されていない。したがって、特許文献１は、表示部（表示装置）を折り畳む、広げる、などの携帯電話機の様々な使用形態に応じた情報を表示することを考慮していない。
【００１０】
また、特許文献２のキー入力装置は、スイッチシート上に配置した電子ペーパでキートップの文字または記号を可変にするようになっている。しかし、電子ペーパ自体はスイッチシート上に固定されていて移動可能にはなっていない。つまり、電子ペーパはキーシートとして電子機器の正面側に固定され、その表示内容を電子機器の機能に応じて変えるだけで、表示装置としての電子ペーパを移動するという発想は無い。したがって、特許文献２は、電子ペーパを折り畳む、広げる、などの電子機器の様々な使用形態に応じた情報を表示することを考慮していない。
【００１１】
さらに、特許文献３の装置においても、不揮発性表示媒体（電子ペーパ）が移動可能な構成はなく、表示装置としての電子ペーパを移動するという発想は無い。したがって、特許文献３は、電子ペーパを折り畳む、広げる、などの電子機器の様々な使用形態に応じた情報を表示することを考慮していない。
【００１２】
本発明は、上述した課題を解決するためになされたものである。従って、本発明の目的は、携帯端末装置にサブ表示装置を移動可能に接続し、サブ表示装置を折り畳む、広げるなどの電子機器の様々な使用形態に応じた情報を表示する携帯端末装置および情報表示方法を提供することにある。
【課題を解決するための手段】
【００１３】
本発明の携帯端末装置は、表示装置を含む筐体の第１の部分と、前記筐体の第１の部分と連結しキー入力装置を含む筐体の第２の部分と、前記筐体の第１の部分および前記筐体の第２の部分の少なくとも一方に移動可能に接続されたサブ表示装置とを含んでいる。前記携帯端末装置は、さらに、前記サブ表示装置の位置に応じて、前記サブ表示装置に表示する情報を変更する制御部を含んでいる。
【００１４】
本発明の情報表示方法は、表示装置を含む筐体の第１の部分と、前記筐体の第１の部分と連結しキー入力装置を含む筐体の第２の部分と、前記筐体の第１の部分および前記筐体の第２の部分の少なくとも一方に移動可能に接続されたサブ表示装置とを含む携帯端末装置において実行されるものである。そして、前記サブ表示装置の位置に応じて前記サブ表示装置に表示する情報を変更するようにしている。
【発明の効果】
【００１５】
本発明によれば、携帯端末装置が、ユーザにとって見易く扱い易いものとなる。
【発明を実施するための最良の形態】
【００１６】
次に、本発明の実施の形態について図面を参照して説明する。
【００１７】
［第1の実施の形態］
図１は、本発明の携帯端末装置の第１の実施の形態を示す外観図である。
【００１８】
図１（ａ）に示す携帯端末装置１−１は、第１の筐体２と、第２の筐体４と、サブ表示装置６−１と、を含んでいる。
【００１９】
携帯端末装置１−１は、携帯電話機やＰＨＳ（Ｐｅｒｓｏｎａｌ  Ｈａｎｄｙｐｈｏｎｅ  Ｓｙｓｔｅｍ：パーソナルハンディフォンシステム）端末、或いは、ＰＤＡ（Ｐｅｒｓｏｎａｌ  Ｄｉｇｉｔａｌ  Ａｓｓｉｓｔａｎｔｓ：携帯情報端末）などの携帯可能な端末装置である。
【００２０】
第１の筐体２と第２の筐体４は、それぞれ、携帯端末装置１−１の上部と下部に位置し、図示しないヒンジなどで相互に接続されており、ヒンジなどを介して相互に折り畳み可能な構造となっている。
【００２１】
第１の筐体２は、携帯端末装置１−１を開いたときの正面側に、携帯端末装置１−１が出力する情報を表示する表示装置３を含んでいる。表示装置３は、例えば、液晶表示装置で構成されている。
【００２２】
第２の筐体４は、携帯端末装置１−１への情報入力を行うキー入力装置５を含んでいる。キー入力装置５は、例えば、テンキーや電源キー、或いは、通話開始キーなどを含む。キー入力装置５は、また、図示しない十字キーや各種機能キーなどを含むものであってもよい。
【００２３】
したがって、第１の筐体２は、表示装置を有する筐体の第１の部分であり、第２の筐体４は、キー入力装置を有する筐体の第２の部分である。
【００２４】
サブ表示装置６−１は、ヒンジ７−１を介して第１の筐体２と機械的及び電気的に接続されている。サブ表示装置６−１は、図中の（イ）として注記しているように、第１の筐体２と表面が同じ方向を向く状態から、第１の筐体２の裏側（背面側）まで、ヒンジ７−１を介して１８０度回動可能となっている。
【００２５】
図１（ｂ）に示す携帯端末装置１−１は、図１（ａ）に示したサブ表示装置６−１が、第１の筐体２の背面に回動しており、携帯端末装置１−１の正面側からはサブ表示装置６−１が見えなくなっている状態を示したものである。
【００２６】
サブ表示装置６−１は、例えば、紙のように薄くて軽く、曲げることも可能な表示デバイスであるところの電子ペーパで構成されている。電子ペーパは、電源を切っても表示内容をそのまま保持できる表示デバイスであるため、不揮発性表示媒体の一例として挙げることが可能な表示デバイスである。
【００２７】
サブ表示装置６−１の不揮発性表示媒体はカバーで覆われていてもよい。この場合、カバーは、可視光を良好に透過する材質、例えばアクリル等、で形成されている。従って、サブ表示装置６−１においては、アクリル等で形成されたカバーを介して、カバー内部の不揮発性表示媒体が良好に見えるようになっている。なお、このカバーは、柔軟性を有する電子ペーパが曲がらない程度の固さを有する材質で形成されている。
【００２８】
尚、サブ表示装置６−１を構成する不揮発性表示媒体としては、電気泳動方式の電子ペーパ、ツイストボール方式の電子ペーパ、強誘電液晶を用いた方式の電子ペーパ、などを挙げることができる。このような不揮発性表示媒体の中には、多色（マルチカラー）表示も可能となっているものもある。
【００２９】
さらに、サブ表示装置６−１は、第１の筐体２の一辺ではなく、第２の筐体４の一辺に回動可能に接続されていても良い。あるいは、第１の筐体２および第２の筐体４の両方にそれぞれ回動可能に接続されていても良い。
【００３０】
次に、図２を参照して、図１に示した携帯端末装置１−１の回路構成について説明する。
【００３１】
図２は、第１の実施の形態の携帯端末装置の回路構成の代表的ブロック図である。
【００３２】
図２に示す携帯端末装置１−１は、表示装置３と、キー入力装置５と、サブ表示装置６−１と、制御部９−１と、を含んでいる。
【００３３】
表示装置３は、図１に示した表示装置３であり、携帯端末装置１−１が出力する情報を表示する。
【００３４】
キー入力装置５は、図１に示したキー入力装置５であり、携帯端末装置１−１への情報入力を行う複数のキーを含んでいる。
【００３５】
サブ表示装置６−１は、図１に示したサブ表示装置６−１であり、携帯端末装置１−１が出力する情報の内、表示装置３に出力する情報を補佐する情報などを表示する。
【００３６】
制御部９−１は、携帯端末装置１−１全体の動作制御を行い、特に、サブ表示装置６−１の位置に応じて、サブ表示装置６−１に表示する情報を変更するように動作する。
【００３７】
例えば、図１（ａ）に示すように、第１の筐体２とサブ表示装置６−１が同一向きになる状態となっている場合には、第１の筐体２の表示装置３には、携帯端末装置１−１で動作中のアプリケーションの主要情報を表示する。そして、サブ表示装置６−１には、携帯端末装置１−１で動作中のアプリケーションの主要情報を補うための補佐情報を表示する。
【００３８】
また、例えば、サブ表示装置６−１が第１の筐体２の裏側にほぼ密着するように位置する状態となっている場合には、サブ表示装置６−１には、携帯端末装置１−１の第１の筐体２の背面デザインとなる画像などを表示する。
【００３９】
なお、第１の実施の形態においては、サブ表示装置６−１がヒンジ７−１を介して第１の筐体２（筐体の第１の部分）に回動可能に接続されているが、サブ表示装置６−１の移動形態は、これに限定されない。たとえば、別の実施の形態で説明するが、サブ表示装置６−１が筐体の第１の部分または第２の部分に対し、スライドして移動するものであってもよい。
【００４０】
次に、図３を参照して、図２に示す本発明の第１の実施の形態の携帯端末装置１−１の回路構成の具体例について説明する。
【００４１】
図３は、図２に示す本発明の第１の実施の形態の携帯端末装置の回路構成の具体例を示すブロック図である。
【００４２】
図３に示す携帯端末装置１−１は、表示装置３、表示制御部３０、記憶部８、サブ表示装置６−１、サブ表示装置制御部６０−１、サブ表示装置回転角度検出部６１−１、キー入力装置５、無線通信部６５、送受話器６６、制御部９−１を含んでいる。
【００４３】
表示装置３は、図２に示した表示装置３と同一であり、携帯端末装置１−１が出力する情報を表示する。表示装置３に表示される情報は、携帯端末装置１−１が主として出力する情報である。
【００４４】
表示制御部３０は、後述する制御部９−１から表示装置３に表示する情報を受け、受けた情報を表示装置３の表示に適するよう加工制御して表示装置３に出力する。
【００４５】
記憶部８は、携帯端末装置１−１で動作する複数ｎ本のアプリケーションプログラム８０（８０−１〜８０−ｎ）を記憶している。また、記憶部８は、サブ表示装置６−１に表示を行う場合、どのような表示をどのように行うかの設定情報を記載するサブ表示装置設定情報テーブル８１−１を記憶している。さらに、記憶部８は、サブ表示装置６−１の回動した回転角度に応じて、サブ表示装置６−１に表示する情報を設定記憶するサブ表示装置設定データ保存部８２−１を有している。
【００４６】
またさらに、記憶部８は、図示していないが、携帯端末装置１−１が動作するために必要なオペレーティングシステムや設定情報、或いは、各種ユーザデータ（例えば、電話帳、動作履歴情報、画像情報、等々）などをも記憶している。
【００４７】
サブ表示装置６−１は、図２に示したサブ表示装置６−１と同一であり、携帯端末装置１−１が出力する情報を表示する。サブ表示装置６−１に表示される情報は、携帯端末装置１−１が従として出力する情報である。
【００４８】
サブ表示装置制御部６０−１は、後述する制御部９−１からサブ表示装置６−１に表示する情報を受け、受けた情報をサブ表示装置６−１の表示に適するよう加工制御してサブ表示装置６−１に出力する。
【００４９】
サブ表示装置回転角度検出部６１−１は、サブ表示装置６−１が、図２に示した表示装置３を含む第１の筐体２と、ヒンジ７−１の周りでどの程度開閉しているかを示す回転角度を検出する。サブ表示装置回転角度検出部６１−１は、回転角度が変化したことを検出した場合に、その検出角度を制御部９−１に通知する。
【００５０】
キー入力装置５は、図２に示したキー入力装置５と同一であり、携帯端末装置１−１への情報入力を行う複数のキーを含んでいる。
【００５１】
無線通信部６５は、携帯端末装置１−１が移動体通信網などの基地局装置などとの通信を行う際に、携帯端末装置１−１の送受信データを無線信号として送受信する。
【００５２】
送受話器６６は、携帯端末装置１−１で音声通信を行う際に、音声の入力や出力を行う。送受話器６６は、例えば、音声入力を行うマイクや、音声出力を行うスピーカなどで構成される。
【００５３】
制御部９−１は、図示しないＣＰＵ（Ｃｅｎｔｒａｌ  Ｐｒｏｃｅｓｓｉｎｇ  Ｕｎｉｔ：中央処理装置）を含んでおり、ＣＰＵの動作により携帯端末装置１−１全体の動作制御を行う。なお、ＣＰＵを動作させるためのアプリケーションプログラムなどは、前述したように、記憶部８に記憶されている。
【００５４】
次に、図４を参照して、携帯端末装置１−１の記憶部８が記憶しているサブ表示装置設定情報テーブル８１−１について説明する。
【００５５】
図４は、サブ表示装置設定情報テーブルの一例を示す図である。
【００５６】
サブ表示装置設定情報テーブル８１−１は、上述したように、サブ表示装置６−１に表示を行う場合、どのような表示をどのように行うかの設定情報を記載するテーブルである。
【００５７】
図４に示すサブ表示装置設定情報テーブル８１−１は、８１−１−１０行に示すように、サブ表示装置回転角度（θ）の欄（８１−１−１列）と、制御部処理内容の欄（８１−１−２列）とを含んでいる。
【００５８】
本実施の形態においては、サブ表示装置６−１が、ヒンジ７−１を介して、第１の筐体２の背面にぴったり密着するように回動した状態のときを、回転角度０度とし、サブ表示装置６−１と第１の筐体２が同一平面をなす状態になったときを、回転角度１８０度とする。そして、回転角度を記号「θ」で表わすものとする。なお、ヒンジ７−１は、回転角度が略０度、略１８０度の状態を保持できる機能を有する。回転角度が略１８０度の場合、サブ表示装置６−１と第１の筐体２が同一平面をなさなくても、略同一の向きであれば良い。
【００５９】
なお、以降の説明において、回転角度０度、１８０度など、絶対的角度のように記載するが、これは記述の容易化のためであり、それぞれ、略０度、略１８０度などを意味するものである。
【００６０】
制御部処理内容の欄（８１−１−２列）には、携帯端末装置１−１の制御部９−１が実行する処理の内容が記載されている。
【００６１】
具体的には、回転角度θが０度以外の角度から０度になったとき（８１−１−１１行）、制御部９−１は以下のような処理を行う。すなわち、制御部９−１は、記憶部８のサブ表示装置設定データ保存部８２−１からサブ表示装置設定データ（後述する）を読み込む。そして、当該設定データに従って、第１の筐体２の背面として表示すべき情報を、サブ表示装置制御部６０−１を介してサブ表示装置６−１に表示させる。
【００６２】
回転角度θが、０度＜θ＜１８０度以外の角度から、０度＜θ＜１８０度の範囲内となった場合、制御部９−１は、サブ表示装置制御部６０−１を介してサブ表示装置６−１の表示を消去させる（図４の８１−１−１２行）。なお、この行（図４の８１−１−１２行）の記載は、表示消去の一例を示すものであり、表示を消去せず、それまでの表示を継続して表示するようにしてもよい。
【００６３】
回転角度θが１８０度以外の角度から１８０度になったとき（８１−１−１３行）、制御部９−１は以下のような処理を行う。すなわち、制御部９−１は、記憶部８のサブ表示装置設定データ保存部８２−１からサブ表示装置設定データを読み込む。そして、当該設定データに従って、第１の筐体２と同一平面となったサブ表示装置６−１に、サブ表示装置６−１の前面に表示すべき情報を、サブ表示装置制御部６０−１を介して表示させる。
【００６４】
次に、図５を参照して、携帯端末装置１−１の記憶部８が有しているサブ表示装置設定データ保存部８２−１（図３）について説明する。
【００６５】
図５（ａ）、（ｂ）は、図３のサブ表示装置設定データ保存部８２−１の一例を示す図である。
【００６６】
サブ表示装置設定データ保存部８２−１は、上述したように、サブ表示装置６−１の回動した回転角度に応じて、サブ表示装置６−１に表示する情報を設定記憶するものである。
【００６７】
図５において、サブ表示装置設定データ保存部８２−１は、サブ表示装置設定データとして、背面表示設定データ８２−１−１（図５（ａ））と、初期画面としての表示（待ち受け画面表示）のための前面表示設定データ８２−１−２（図５（ｂ））を有している。
【００６８】
背面表示設定データ８２−１−１は、図４で説明したように、サブ表示装置６−１がヒンジ７−１を介して第１の筐体２の背面にぴったり密着するように回動した状態のとき、すなわち回転角度θが０度のときに、サブ表示装置６−１に表示する情報の設定データである。
【００６９】
具体的には、図５（ａ）に示す背面表示設定データ８２−１−１としては、背面表示の色（８２−１−１−１）、背面表示のデザイン（８２−１−１−２）、背面表示にカレンダー表示を行うか否か（８２−１−１−３）、背面表示に着信表示を行うか否か（８２−１−１−４）、などが有る。
【００７０】
ここで、図６を参照して、背面表示設定データ８２−１−１の設定方法の一例について説明する。
【００７１】
図６は、背面表示設定データの設定方法の一例を示す図である。
【００７２】
本実施の形態においては、背面表示設定データ８２−１−１は、携帯端末装置１−１の表示装置３とキー入力装置５を使用して、制御部９−１の制御のもとに設定できるようになっている。
【００７３】
先ず、携帯端末装置１−１は、表示装置３へ、図６（ａ）に示すような背面表示設定画面を表示する。図６（ａ）の背面表示設定画面には、設定項目として、色設定、デザイン設定、カレンダー表示設定、着信表示設定、などが表示されている。そして、キー入力装置５のキーを使用して、各設定項目の何れかをユーザに選択させる。
【００７４】
例えば、図６（ａ）の「色設定」が選択された場合は、図６（ｂ）に示すような色設定画面を表示する。そして、ユーザに好みの色（例えば、白、青、黄、赤、など）を選択させる。また、図６（ｂ）の、その他の設定、によって、ユーザが好みの色をカスタマイズできるようにすると尚良い。ここで選択された色は、後述するデザインを表示する際の色となる。また、選択された色は、図５（ａ）の背面表示設定データ８２−１−１の色（８２−１−１−１）のデータとして設定される。
【００７５】
また、図６（ａ）の「デザイン設定」が選択された場合は、図６（ｃ）に示すようなデザイン設定画面を表示する。そして、ユーザに好みのデザイン（例えば、なし、星、水玉、縞、など）を選択させる。また、図６（ｃ）の、その他の設定、によって、ユーザが好みのデザインとしての静止画などのユーザデータも選択設定できるようにすると尚良い。ここで選択されたデザインは、背面表示設定データ８２−１−１のデザイン（８２−１−１−２）のデータとして設定される。
【００７６】
さらに、図６（ａ）の「カレンダー表示設定」が選択された場合は、図６（ｄ）に示すようなカレンダー表示設定画面を表示する。そして、ユーザにカレンダーの表示を「する」、「しない」を選択させる。ここで選択されたカレンダー表示の有無のデータは、背面表示設定データ８２−１−１のカレンダー表示（８２−１−１−３）のデータとして設定される。
【００７７】
またさらに、図６（ａ）の「着信表示設定」が選択された場合は、図６（ｅ）に示すような着信表示設定画面を表示する。そして、ユーザに着信の表示を「する」、「しない」を選択させる。ここで選択された着信表示の有無のデータは、背面表示設定データ８２−１−１の着信表示（８２−１−１−４）のデータとして設定される。
【００７８】
以上、図６を参照して説明した背面表示設定データの設定の結果として、サブ表示装置６−１に表示される情報の一例を図７に示す。
【００７９】
図７は、サブ表示装置の背面表示として表示される情報の一例を示す図である。
【００８０】
図７（ａ）は、図６（ｃ）のデザイン設定画面で、背面デザインとして「星」を設定した場合にサブ表示装置６−１に表示される情報、すなわち背面画像のデザイン、の一例を示している。
【００８１】
図７（ｂ）は、図６（ｃ）のデザイン設定画面で、背面デザインとして「水玉」を設定した場合にサブ表示装置６−１に表示される情報、すなわち背面画像のデザイン、の一例を示している。
【００８２】
図７（ｃ）は、図６（ｃ）のデザイン設定画面で、背面デザインとして「星」を設定し、かつ、図６（ｄ）のカレンダー表示設定画面でカレンダー表示を「する」と設定した場合に、サブ表示装置６−１に表示される情報の一例を示している。図７（ｃ）のカレンダー表示は、当日の年月日時分秒を「ｙｙ／ｍｍ／ｄｄ  ｈｈ：ｍｍ：ｓｓ」の形式で表示した例を示している。
【００８３】
図７（ｄ）は、図６（ｃ）のデザイン設定画面で、背面デザインとして「星」を設定し、かつ、図６（ｅ）の着信表示設定画面で着信表示を「する」と設定した場合に、サブ表示装置６−１に表示される情報の一例を示している。図７（ｄ）の着信表示は、着信が有った場合に「着信あり」として表示した例を示している。
【００８４】
図５（ｂ）に戻り、サブ表示装置設定データ保存部８２−１が有する前面表示設定データ８２−１−２について説明する。
【００８５】
前面表示設定データ８２−１−２は、図４で説明したように、サブ表示装置６−１と第１の筐体２が同一平面をなす状態となったとき、すなわち回転角度θが１８０度となったときに、サブ表示装置６−１の初期画面として表示する情報の設定データである。
【００８６】
具体的には、図５（ｂ）に示す前面表示設定データ８２−１−２としては、初期表示を「する」か「しない」を示す初期表示のデータ（８２−１−２−１）、初期表示を「する」ときの情報が何かを示す初期表示情報のデータ（８２−１−２−２）、などが有る。
【００８７】
ここで、図８を参照して、前面表示設定データ８２−１−２の設定方法の一例について説明する。
【００８８】
図８は、前面表示設定データの設定方法の一例を示す図である。
【００８９】
本実施の形態においては、前面表示設定データ８２−１−２は、携帯端末装置１−１の表示装置３とキー入力装置５を使用して、制御部９−１の制御のもとに設定できるようになっている。
【００９０】
先ず、携帯端末装置１−１は、表示装置３へ、図８（ａ）に示すような前面表示設定画面を表示する。図８（ａ）の前面表示設定画面には、設定項目として、初期表示を「する」と「しない」が表示されている。そして、キー入力装置５のキーを使用して、各設定項目の何れかをユーザに選択させる。
【００９１】
例えば、図８（ａ）の「する」が選択された場合は、図８（ｂ）に示すような初期表示設定画面を表示する。そして、ユーザに好みの初期表示情報を選択させる。初期表示情報は如何なる情報でもよいが、図８（ｂ）には、スケジュール、ニュース、天気予報、株価情報などを例として挙げてある。また、図８（ｂ）の、その他の設定、によって、ユーザが初期表示情報を好みの情報にカスタマイズできるようすると尚良い。
【００９２】
図８（ａ）で選択された「する」「しない」のデータは、図５（ｂ）の前面表示設定データ８２−１−２の初期表示（８２−１−２−１）のデータとして設定される。また、図８（ｂ）で選択された初期表示情報のデータは、前面表示設定データ８２−１−２の初期表示情報（８２−１−２−２）のデータとして設定される。
【００９３】
以上、図８を参照して説明した前面表示設定データの設定の結果として、サブ表示装置６−１に表示される情報の一例を図９に示す。
【００９４】
図９は、サブ表示装置の前面表示として表示される情報の一例を示す図である。
【００９５】
図９は、図８（ｂ）の初期表示設定画面で、初期表示情報として「天気予報」を設定した場合にサブ表示装置６−１に表示される情報、すなわち初期表示情報、の一例を示している。なお、初期表示情報の取得は、携帯端末装置１−１に保存されている既存のデータを取得して表示するようにしてもよいし、或いは、インターネット接続による通信を介したリアルタイムな情報を取得して表示するようにしてもよい。
【００９６】
図９に示すサブ表示装置６−１への天気予報の表示は、本日の天気予報と週間天気予報の２つの予報情報を表示した例を示している。
【００９７】
次に、図１０、図１１を参照して、本実施の形態の携帯端末装置１−１の動作について説明する。なお、本実施の形態の動作の説明においては、携帯端末装置１−１でスロットマシンのゲームを行う場合の動作を一例として、説明を行うものとする。ここで、スロットマシンのゲームは、図３の記憶部８のアプリケーションプログラム８０−２を起動することにより実行されるものとする。
【００９８】
図１０は、第１の実施の形態の動作画面の一例を示す図である。
【００９９】
図１０（ａ）に示す携帯端末装置１−１の表示装置３の（ロ）の部分には、スロットマシンのゲームの画像が表示されている。
【０１００】
スロットマシンのゲームでは、通常、回転する３つのドラムを表示し、それぞれのドラムの表面には、十数個の種類の異なる数字や記号が同一の順番で描かれている。そして、それぞれのドラムの表面の数字や記号の１つだけが見えるような窓枠を有している。窓枠の例を、図１０（ａ）の（１）に示す。この例では、３つの窓枠内のそれぞれには、数字の「７」が見えている。
【０１０１】
そして、スロットマシンのゲームを開始すると、３つのドラムは一斉に回転を始める。ドラムの回転は、各窓枠の直下に設けられたボタン（図１０（ａ）の（２）に示す）を押下することにより止まり、止まったときのドラム上の数字や記号が１つ、前述の窓枠内に見えるようになる。３つの全てのドラムの回転を止めたときに、前述の窓枠内に、所定の同一の数字や記号が見える状態となれば、「当り」となり、景品としてのメダルが獲得できるようになっている。図１０（ａ）の（１）に示したような、数字「７」が３つ揃った状態は、通常「大当り」であり、より多くの景品が獲得できる。
【０１０２】
なお、本実施の形態においては、スロットマシンのゲームの開始や終了、或いは、回転しているドラムの停止などは、第２の筐体４のキー入力装置５の何れかのキーを押下することにより行われるようになっているものとする。
【０１０３】
次に、図１０と併せて図１１を参照し、本実施の形態の動作の一例について詳細に説明する。
【０１０４】
図１１（ａ）、（ｂ）は、第１の実施の形態の動作の一例を示すフローチャートである。
【０１０５】
図１１（ａ）において、図１０に示した携帯端末装置１−１では、スロットマシンゲームを実行するアプリケーションプログラムが起動した状態となっている。そして、携帯端末装置１−１の制御部９−１は、当該アプリケーションプログラムの初期化処理に従って、表示装置３への表示を、表示制御部３０を介して行う（図１１（ａ）のステップＳ１）。ここでの表示は、図１０（ａ）の（ロ）部に示すような、スロットマシンゲームを開始するための表示となる。
【０１０６】
次に、制御部９−１は、サブ表示装置回転角度検出部６１−１からサブ表示装置６−１の回転角度を取得する（ステップＳ２）。そして、制御部９−１は、取得した回転角度が１８０度であるか否かの判定を行う（ステップＳ３）。
【０１０７】
回転角度が１８０度である場合（ステップＳ３でＹｅｓ）、制御部９−１は、サブ表示装置６−１への表示を、サブ表示装置制御部６０−１を介して行う（ステップＳ４）。回転角度が１８０度である場合の携帯端末装置１−１の外観を、図１０（ｂ）に示している。ここで、図１０（ｂ）の表示装置３は、（ロ）部には、図１０（ａ）と同様に、スロットマシンゲームの主情報（ゲームを行うための画面）を表示する。そして、図１０（ｂ）のサブ表示装置６−１は、スロットマシンゲームの補佐情報として、状態表示の情報（スロットマシンでの大当り回数、獲得メダル枚数、など）や、スロットマシンゲームの操作方法の情報（キー入力装置５の各キーの機能、など）を表示する。
【０１０８】
回転角度が１８０度でない場合（ステップＳ３でＮｏ）、制御部９−１は、表示装置３に、サブ表示装置６−１を開くよう要求するメッセージを表示する（ステップＳ５）。回転角度が１８０度でない場合の携帯端末装置１−１の外観を、図１０（ａ）に示している。そして、図１０（ａ）の表示装置３の（イ）の部分には、サブ表示装置６−１を開くよう要求するメッセージ（例えば、「表示部の裏面を１８０度回転させてみよう！」）を表示する。
【０１０９】
次に、図１１（ｂ）のフローチャートを参照し、制御部９−１が、サブ表示装置回転角度検出部６１−１から、サブ表示装置６−１の回転角度が変化したとの通知を受けた場合の動作について説明する。携帯端末装置１−１では、先に説明したように、本実施の形態のスロットマシンゲームを実行するアプリケーションプログラムが動作しているものとする。
【０１１０】
携帯端末装置１−１の制御部９−１が、サブ表示装置回転角度検出部６１−１から、サブ表示装置６−１の回転角度が変化したとの通知を、変化後の回転角度と共に受信する（図１１（ｂ）のステップＳ１１）。
【０１１１】
制御部９−１は、受信した変化後の回転角度が１８０度であるか否かの判定を行う（ステップＳ１２）。
【０１１２】
変化後の回転角度が１８０度である場合（ステップＳ１２でＹｅｓ）、制御部９−１は、表示装置３に表示していた、「サブ表示装置を開くよう要求するメッセージ」を消去する（ステップＳ１３）。次に、制御部９−１は、サブ表示装置６−１への表示を、サブ表示装置制御部６０−１を介して行う（ステップＳ１４）。
【０１１３】
変化後の回転角度が１８０度である場合の携帯端末装置１−１の外観を、図１０（ｂ）に示している。ここで、図１０（ｂ）の表示装置３の（イ）部は、上述のステップＳ１３の動作の結果として、表示していたメッセージを消去している。また、図１０（ｂ）のサブ表示装置６−１は、上述のステップＳ１４の動作の結果として、スロットマシンゲームの補佐情報（状態表示の情報、スロットマシンゲームの操作方法の情報、など）を表示している。
【０１１４】
変化後の回転角度が１８０度でない場合（ステップＳ１２でＮｏ）、制御部９−１は、表示装置３に、サブ表示装置６−１を開くよう要求するメッセージを表示する（ステップＳ１５）。変化後の回転角度が１８０度でない場合の携帯端末装置１−１の外観は、先に説明した図１０（ａ）と同様であり、図１０（ａ）の表示装置３の（イ）部は、サブ表示装置６−１を開くよう要求するメッセージを表示している。
【０１１５】
以上、本発明の携帯端末装置の第１の実施の形態について説明した。
【０１１６】
上述したように、本発明の第１の実施の形態の携帯端末装置（携帯端末装置１−１）は、表示装置（表示装置３）を含む第１の筐体（第１の筐体２）と、キー入力装置（キー入力装置５）を含む第２の筐体（第２の筐体４）が連結されている。そして、第１の筐体に回動可能に接続されたサブ表示装置（サブ表示装置６−１）を含んでいる。
【０１１７】
そして、携帯端末装置は、第１の筐体とサブ表示装置の回転角度に応じて、表示装置又は／及びサブ表示装置に表示する情報を変更する制御部（制御部９−１）を含んでいる。
【０１１８】
従って、本実施の形態によれば、携帯端末装置１−１の第１の筐体２の表示領域を、サブ表示装置６−１により拡大することが可能となる。また、サブ表示装置６−１の回転角度に応じて、第１の筐体２の表示装置３及び／又はサブ表示装置６−１に表示する情報を変更することが可能となっているため、ユーザにとって見易く扱い易い携帯端末装置１−１とすることが可能となる。
【０１１９】
さらに、携帯端末装置は、上記に加え、サブ表示装置の回転角度（サブ表示装置の第１の筐体に対する回転角度）を検出する回転角度検出部（サブ表示装置回転角度検出部６１−１）をさらに含んでいる。
【０１２０】
また、制御部は、回転角度検出部からの出力により、サブ表示装置が第１の筐体の背面に位置すると判定した場合、サブ表示装置にデザイン画像を表示するようにしている。
【０１２１】
さらに、制御部は、回転角度検出部からの出力により、サブ表示装置が第１の筐体と略同一向きになる状態となったと判定した場合、サブ表示装置には表示装置に表示されている情報を補佐する情報を表示するようにしている。
【０１２２】
したがって、本実施の形態によれば、サブ表示装置６−１によるデザイン表示によって、携帯端末装置の筐体の背面におけるデザイン性を確保することができる。また、サブ表示装置６−１の回転により表示装置３の補助的な表示装置として利用できるので、一度に表示可能な情報量を増やすことができ、情報の確認が容易になる。
【０１２３】
また、制御部は、サブ表示装置６−１が第１の筐体または第２の筐体に対し予め決められた位置（たとえば、０度、１８０度の回転角度の位置）にない状態となったことを判定した場合、サブ表示装置の表示を消去するようにしても良い。この場合、サブ表示装置の操作中における消費電力の低減が可能となる。但し、これに限られるものではなく、表示を継続しても良い。
【０１２４】
またさらに、サブ表示装置は、不揮発性表示媒体で構成されるようになっている。
【０１２５】
したがって、制御部により、常に確認したい情報をサブ表示装置に表示するようにすれば、その情報を携帯端末装置の電源を切っても表示し続け、使い勝手が良い。
【０１２６】
［第２の実施の形態］
次に、本発明による第２の実施の形態について、図１２〜図１８を参照して説明する。
【０１２７】
図１２は、本発明の第２の実施の形態の携帯端末装置の外観図である。
【０１２８】
図１２に示す携帯端末装置１−２は、図１（ａ）に示した携帯端末装置１−１と以下の点でのみ異なるものである。すなわち、携帯端末装置１−１の第１の筐体２に接続されていたサブ表示装置６−１を、第２の筐体４に接続したものである。そして、図１２においては、第２の筐体４に接続したサブ表示装置の参照数字を６−２としている。従って、図１２において図１（ａ）に示す構成要素に対応するものは同一の参照数字または符号を付し、その説明を極力省略するものとする。
【０１２９】
図１２（ａ）〜（ｅ）に示す携帯端末装置１−２は、第１の実施の形態と同じ第１の筐体２と第２の筐体４とサブ表示装置６−２とを含んでいる。そして、図１２（ａ）の携帯端末装置１−２は、第２の筐体４とサブ表示装置６−２とが同一平面をなす状態となっている場合を示している。なお、サブ表示装置６−２は、図１２（ａ）の（ロ）として注記しているように、第２の筐体４の裏側（背面側）から表側（表面側）まで、ヒンジ７−２を介して３６０度回動可能となっている。
【０１３０】
また、図１２（ｂ）（ｃ）に示す携帯端末装置１−２は、サブ表示装置６−２が、ヒンジ７−１と同様のヒンジ７−２を介して、第２の筐体４の周りを３６０度回動する様子を示すものである。
【０１３１】
さらに、図１２（ｄ）に示す携帯端末装置１−２は、図１２（ａ）に示したサブ表示装置６−２が、第２の筐体４の前面に回動した状態を示している。そして、サブ表示装置６−２は、携帯端末装置１−２の第２の筐体４が有するキー入力装置５の各キーのキートップに、当該キーの機能を表示している状態を示すものである。図１２（ｄ）のキー入力装置５の機能は、それまでの「１」キーが「開始」機能を有するキーとなったことを示しており、また、それまでの「３」キーは、「終了」機能を有するキーとなったことを示している。さらに、それまでの「５」キーが「停止」機能を有するキーとなったことを示しており、その他のキーには如何なる機能も割り当てられていないことを示している。
【０１３２】
またさらに、図１２（ｅ）に示す携帯端末装置１−２は、図１２（ａ）に示したサブ表示装置６−２が、第２の筐体４の前面に回動した状態を示している。そして、サブ表示装置６−２は、携帯端末装置１−２の第２の筐体４が有するキー入力装置５の各キーのキートップに、当該キーの機能を表示している状態を示すものである。図１２（ｅ）は、携帯端末装置１−２で地上デジタル放送を視聴中の例を示しており、携帯端末装置１−２を横向きにして、表示装置３に横向きに表示されるテレビ映像を、左側から視聴している状態を示している。そして、キー入力装置５のキートップに表示される文字や記号も、左側から横向きに見るのに適するよう、横向きに表示されている。図１２（ｅ）のキー入力装置５の機能は、それまでの「３」キー、「５」キー、「９」キーがそれぞれ、「戻」、「再生」、「進」機能を有するキーとなったことを示している。キートップに何も表示されていないその他のキーには、如何なる機能も割り当てられていないことを示している。
【０１３３】
図１２（ａ）〜（ｅ）のサブ表示装置６−２は、図２で説明したと同様の不揮発性表示媒体、例えば電子ペーパ（電気泳動方式の電子ペーパ、ツイストボール方式の電子ペーパ、強誘電液晶を用いた方式の電子ペーパ、など）で構成されている。そして、サブ表示装置６−２の不揮発性表示媒体は、可視光を良好に透過する材質のカバーで覆われている。そして、このカバーは、ペンなどで接触した場合に、接触した位置の座標を入力可能なタッチパネルで形成されている。従って、サブ表示装置６−２においては、タッチパネルで形成されたカバーを介して、カバー内部の不揮発性表示媒体が良好に見えるようになっている。また、サブ表示装置６−２のタッチパネルにペンなどで接触することにより、図１２（ｄ）に示すような機能を表す文字や記号が表示されたキーを、押下したと同様の作用を奏することが可能となる。
【０１３４】
次に、図１３を参照して、本実施の形態の携帯端末装置１−２の回路構成について説明する。
【０１３５】
図１３は、本発明の第２の実施の形態の携帯端末装置の回路構成の一例を示すブロック図である。
【０１３６】
図１３に示す携帯端末装置１−２は、表示装置３、表示制御部３０、記憶部８−２、サブ表示装置６−２、サブ表示装置制御部６０−２、サブ表示装置回転角度検出部６１−２、キー入力装置５、無線通信部６５、送受話器６６、放送受信部６７、制御部９−２を含んでいる。
【０１３７】
表示装置３及び表示制御部３０は、図３に示したものと同一であるため、その説明を省略する。
【０１３８】
記憶部８−２は、携帯端末装置１−２で動作する複数ｎ本のアプリケーションプログラム８０（８０−１〜８０−ｎ）を記憶している。また、記憶部８−２は、サブ表示装置６−２に表示を行う場合、どのような表示をどのように行うかの設定情報を記載するサブ表示装置設定情報テーブル８１−２を記憶している。さらに、記憶部８−２は、サブ表示装置６−２の回動した回転角度に応じて、サブ表示装置６−２に表示する情報を設定記憶するサブ表示装置設定データ保存部８２−２を有している。
【０１３９】
またさらに、記憶部８−２は、図示していないが、携帯端末装置１−２が動作するために必要なオペレーティングシステムや設定情報、或いは、各種ユーザデータ（例えば、電話帳、動作履歴情報、画像情報、等々）などをも記憶している。
【０１４０】
サブ表示装置６−２は、図１２に示したサブ表示装置６−２と同一であり、携帯端末装置１−２が出力する情報を表示する。サブ表示装置６−２に表示される情報は、携帯端末装置１−２の表示装置３の情報を補佐する情報であり、或いは、キー入力装置５の各キーの機能を示す情報などである。
【０１４１】
サブ表示装置制御部６０−２は、後述する制御部９−２からサブ表示装置６−２に表示する情報を受け、受けた情報をサブ表示装置６−２の表示に適するよう加工制御してサブ表示装置６−２に出力する。
【０１４２】
サブ表示装置回転角度検出部６１−２は、サブ表示装置６−２が、図１２に示した第２の筐体４と、ヒンジ７−２の周りでどの程度開閉しているかを示す回転角度を検出する。サブ表示装置回転角度検出部６１−２は、回転角度が変化したことを検出した場合に、その検出角度を制御部９−２に通知する。
【０１４３】
キー入力装置５、無線通信部６５、送受話器６６は、図３に示したものと同一であるため、その説明を省略する。
【０１４４】
放送受信部６７は、地上デジタル放送などのテレビジョン放送やデータ放送などを受信する。また、放送受信部６７は、携帯端末向けのテレビジョン放送、所謂、ワンセグを受信するものであっても良い。
【０１４５】
制御部９−２は、図示しないＣＰＵを含んでおり、ＣＰＵの動作により携帯端末装置１−２全体の動作制御を行う。なお、ＣＰＵを動作させるためのアプリケーションプログラムなどは、前述したように、記憶部８−２に記憶されている。
【０１４６】
また、制御部９−２は、図示しないタッチパネル制御機構を含んでいる。このタッチパネル制御機構は、サブ表示装置６−２のタッチパネルを稼動状態とし、或いは、タッチパネルを非稼動状態とするよう制御する。また、タッチパネル制御機構は、タッチパネルがペンなどで接触された位置の座標を取得し、そのとき動作しているアプリケーションプログラムに通知する。
【０１４７】
次に、図１４を参照して、携帯端末装置１−２の記憶部８−２が記憶しているサブ表示装置設定情報テーブル８１−２について説明する。
【０１４８】
図１４は、サブ表示装置設定情報テーブルの一例を示す図である。
【０１４９】
サブ表示装置設定情報テーブル８１−２は、上述したように、サブ表示装置６−２に表示を行う場合、どのような表示をどのように行うかの設定情報を記載するテーブルである。
【０１５０】
図１４に示すサブ表示装置設定情報テーブル８１−２は、８１−２−１０行に示すように、サブ表示装置回転角度（θ）の欄（８１−２−１列）と、制御部処理内容の欄（８１−２−２列）とを含んでいる。
【０１５１】
本実施の形態においては、サブ表示装置６−２が、ヒンジ７−２を介して、第２の筐体４の背面にぴったり密着するように回動した状態のときを、回転角度０度とし、サブ表示装置６−２と第２の筐体４が同一平面をなす状態になったときを、回転角度１８０度とする。また、サブ表示装置６−２が第２の筐体４の前面にぴったり密着するように回動した状態のときを、回転角度３６０度とする。そして、回転角度を記号「θ」で表わすものとする。
【０１５２】
制御部処理内容の欄（８１−２−２列）には、携帯端末装置１−２の制御部９−２が実行する処理の内容が記載されている。
【０１５３】
具体的には、回転角度θが０度以外の角度から０度になったとき（８１−２−１１行）、制御部９−２は以下のような処理を行う。すなわち、制御部９−２は、記憶部８−２のサブ表示装置設定データ保存部８２−２からサブ表示装置設定データ（後述する）を読み込む。そして、当該設定データに従って、第２の筐体４の背面として表示すべき情報を、サブ表示装置制御部６０−２を介してサブ表示装置６−２に表示させる。
【０１５４】
回転角度θが、０度＜θ＜１８０度以外の角度から、０度＜θ＜１８０度の範囲内となった場合、制御部９−２は、サブ表示装置制御部６０−２を介してサブ表示装置６−２の表示を消去させる（図１４の８１−２−１２行）。なお、この行（図１４の８１−２−１２行）の記載は、表示消去の一例を示すものであり、表示を消去せず、それまでの表示を継続して表示するようにしてもよい。
【０１５５】
回転角度θが１８０度以外の角度から１８０度になったとき（８１−２−１３行）、制御部９−２は以下のような処理を行う。すなわち、制御部９−２は、記憶部８−２のサブ表示装置設定データ保存部８２−２からサブ表示装置設定データを読み込む。そして、当該設定データに従って、第２の筐体４と同一平面となったサブ表示装置６−２に、サブ表示装置６−２の前面に表示すべき情報を、サブ表示装置制御部６０−２を介して表示させる。
【０１５６】
回転角度θが、１８０度＜θ＜３６０度以外の角度から、１８０度＜θ＜３６０度の範囲内となった場合、制御部９−２は、サブ表示装置制御部６０−２を介してサブ表示装置６−２の表示を消去させる（図１４の８１−２−１４行）。なお、この行（図１４の８１−１−１４行）の記載は、表示消去の一例を示すものであり、表示を消去せず、それまでの表示を継続して表示するようにしてもよい。
【０１５７】
回転角度θが３６０度以外の角度から３６０度になったとき（８１−２−１５行）、制御部９−２は以下のような処理を行う。すなわち、制御部９−２は、記憶部８−２のサブ表示装置設定データ保存部８２−２からサブ表示装置設定データを読み込む。そして、当該設定データに従って、第２の筐体４の前面に密着したサブ表示装置６−２に、キー入力装置５の各キーの機能を表す文字や記号を、サブ表示装置制御部６０−２を介して表示する。
【０１５８】
次に、図１５を参照して、携帯端末装置１−２の記憶部８−２が有しているサブ表示装置設定データ保存部８２−２（図１３）について説明する。
【０１５９】
図１５（ａ）、（ｂ）、（ｃ）は、サブ表示装置設定データ保存部の一例を示す図である。
【０１６０】
図１５で説明するサブ表示装置設定データ保存部８２−２は、上述したように、サブ表示装置６−２の回動した回転角度に応じて、サブ表示装置６−２に表示する情報を設定記憶するものである。
【０１６１】
サブ表示装置設定データ保存部８２−２は、サブ表示装置設定データとして、背面表示設定データ８２−２−１（図１５（ａ））と、前面表示設定データ８２−２−２（図１５（ｂ））と、キートップ表示設定データ８２−２−３（図１５（ｃ））とを有している。
【０１６２】
背面表示設定データ８２−２−１は、サブ表示装置６−２がヒンジ７−２を介して第２の筐体４の背面にぴったり密着するように回動した状態のとき、すなわち回転角度θが０度のときに、サブ表示装置６−２に表示する情報の設定データである。なお、背面表示設定データ８２−２−１の内容及び設定方法は、図５〜図７で説明した背面表示設定データ８２−１−１と同一であるため、これ以上の説明は省略する。
【０１６３】
前面表示設定データ８２−２−２は、サブ表示装置６−２と第２の筐体４が同一平面をなす状態となったとき、すなわち回転角度θが１８０度となったときに、サブ表示装置６−２の初期画面として表示する情報の設定データである。なお、前面表示設定データ８２−２−２の内容及び設定方法は、図５、図８、図９で説明した前面表示設定データ８２−１−２と同一であるため、これ以上の説明は省略する。
【０１６４】
キートップ表示設定データ８２−２−３は、サブ表示装置６−２がヒンジ７−２を介して第２の筐体４の前面にぴったり密着するように回動した状態のとき、すなわち回転角度θが３６０度のときに、サブ表示装置６−２に表示する情報の設定データである。キートップ表示設定データ８２−２−３に設定されたデータにより、図１２（ｄ）に示すようなキー入力装置５のキートップに、当該キーの機能を表す文字や記号を表示する。
【０１６５】
具体的には、図１５（ｃ）に示すキートップ表示設定データ８２−２−３は、８２２３−１０行に示すように、キー群（８２２３−１列）の欄と、動作中の機能（８２２３−２列、８２２３−３列、・・・）の欄を有している。
【０１６６】
キー群（８２２３−１列）の欄は、図１２（ａ）のキー入力装置５に示しているように、各キーの元々の名称（１〜９、０などの数字や、＊、＃などの記号）を示す欄である。また、動作中の機能の欄は、携帯端末装置１−２で動作中の機能を示す欄である。動作中の機能とは、例えば、スロットマシンのゲームが動作中である場合（８２２３−２列）や、地上デジタル放送のテレビ放送を受信中である場合（８２２３−３列）、等々である。
【０１６７】
例えば、スロットマシンのゲームが動作中の場合（８２２３−２列）、「１」キーのキートップには「開始」の文字を表示し（８２２３−１１行）、「３」キーのキートップには「終了」の文字を表示する（８２２３−１３行）。また、「５」キーのキートップには「停止」の文字を表示し、その他のキーのキートップには何も表示していない。これは、キートップに何も表示されていないキーには、何の機能も割り当てられていないことを示すものである。
【０１６８】
また、地上デジタル放送のテレビ放送を受信中である場合（８２２３−３列）、「３」キーのキートップには「戻」の文字を表示し（８２２３−１３行）、「５」キーのキートップには「再生」の文字を表示する（８２２３−１５行）。また、「９」キーのキートップには「進」の文字を表示し（８２２３−１９行）、その他のキーのキートップには何も表示していない。これは、キートップに何も表示されていないキーには、何の機能も割り当てられていないことを示すものである。上述した「戻」は、例えば、受信中のテレビ放送のチャネルを１チャネル戻すことを意味し、「進」は、例えば、受信中のテレビ放送のチャネルを１チャネル進めることを意味するものである。また、上述した「再生」は、例えば、受信したテレビ放送の画像を録画しておいた場合、その録画画像を再生することを意味するものである。
【０１６９】
次に、図１６、図１７、図１８を参照して、本実施の形態の携帯端末装置１−２の動作について説明する。なお、本実施の形態の動作の説明においては、携帯端末装置１−２で、第１の実施の形態と同様のスロットマシンのゲームを行う場合の動作を一例として、説明を行うものとする。
【０１７０】
図１６は、第２の実施の形態の動作画面の一例を示す図である。
【０１７１】
図１６（ａ）に示す携帯端末装置１−２の表示装置３の（ロ）の部分には、図１０（ａ）に示したと同様に、スロットマシンのゲームの画像が表示されている。
【０１７２】
なお、図１６（ａ）の第１の筐体２及び第２の筐体４は、図１０（ａ）に示したものと同一であるため、その説明を省略する。
【０１７３】
次に、図１６と併せて図１７、図１８を参照し、本実施の形態の動作について詳細に説明する。
【０１７４】
図１７は、第２の実施の形態の動作の一例を示す第１のフローチャートである。
【０１７５】
先ず、図１６に示した携帯端末装置１−２では、スロットマシンゲームを実行するアプリケーションプログラムが起動した状態となっている。そして、携帯端末装置１−２の制御部９−２は、当該アプリケーションプログラムの初期化処理に従って、表示装置３への表示を、表示制御部３０を介して行う（図１７のステップＳ１−２）。ここでの表示は、図１６（ａ）の（ロ）部に示すような、スロットマシンゲームを開始するための表示となる。
【０１７６】
次に、制御部９−２は、図１７のステップＳ２−２〜ステップＳ５−２の動作を行うが、これらの動作は、図１１（ａ）のステップＳ２〜ステップＳ５の動作と同一であるため、説明を省略するものとする。
【０１７７】
なお、図１７のステップＳ３−２の判定で、回転角度が１８０度であった場合に、ステップＳ４−２でサブ表示装置６−２への表示を行った場合の、携帯端末装置１−２の外観を、図１６（ｂ）に示している。ここで、図１６（ｂ）の表示装置３の（ロ）部には、図１６（ａ）と同様に、スロットマシンゲームの画面が表示されている。そして、図１６（ｂ）のサブ表示装置６−２には、「天気予報」が表示されている。これは、図１５で説明したサブ表示装置設定データ保存部８２−２の前面表示設定データ８２−２−２の中の、初期表示情報として、「天気予報」が設定されているためである。
【０１７８】
また、ステップＳ５−２で、制御部９−２が、表示装置３に、サブ表示装置６−２を開くよう要求するメッセージ（例えば、「入力装置の裏面を１８０度回転させてみよう！」）を表示した場合の表示例を、図１６（ａ）の表示装置３の（イ）部に示している。
【０１７９】
図１７に戻り、制御部９−２は、ステップＳ２−２で取得したサブ表示装置６−２の回転角度が、３６０度であるか否かの判定を行う（図１７のステップＳ６）。
【０１８０】
回転角度が３６０度である場合（ステップＳ６でＹｅｓ）、制御部９−２は、サブ表示装置６−２に、スロットマシンのゲームで使用するキー入力装置５のキーのキートップに、当該キーの機能を表示する（ステップＳ７）。ステップＳ７でのキートップの表示例は、図１２（ｄ）で示したものである。
【０１８１】
回転角度が３６０度でない場合（ステップＳ６でＮｏ）、制御部９−２は、表示装置３に、サブ表示装置６−２を開くよう要求するメッセージを表示する（ステップＳ８）。ステップＳ８で制御部９−２が、表示装置３に、サブ表示装置６−２を開くよう要求するメッセージ（例えば、「入力装置の裏面を３６０度回転させてみよう！」）を表示した場合の表示例を、図１６（ｂ）の表示装置３の（ハ）部に示している。
【０１８２】
次に、図１８のフローチャートを参照し、制御部９−２が、サブ表示装置回転角度検出部６１−２から、サブ表示装置６−２の回転角度が変化したとの通知を受けた場合の動作について説明する。
【０１８３】
図１８は、第２の実施の形態の動作の一例を示す第２のフローチャートである。
【０１８４】
携帯端末装置１−２では、先に説明したように、本実施の形態のスロットマシンゲームを実行するアプリケーションプログラムが動作しているものとする。
【０１８５】
携帯端末装置１−２の制御部９−２が、サブ表示装置回転角度検出部６１−２から、サブ表示装置６−２の回転角度が変化したとの通知を、変化後の回転角度と共に受信する（図１８のステップＳ１１−２）。
【０１８６】
制御部９−２は、受信した変化後の回転角度が１８０度であるか否かの判定を行う（ステップＳ１２−２）。
【０１８７】
変化後の回転角度が１８０度である場合（ステップＳ１２−２でＹｅｓ）、制御部９−２は、表示装置３に表示していた、「サブ表示装置を開くよう要求するメッセージ」を消去する（ステップＳ１３−２）。次に、制御部９−２は、サブ表示装置６−２への表示を、サブ表示装置制御部６０−２を介して行う（ステップＳ１４−２）。
【０１８８】
変化後の回転角度が１８０度である場合の携帯端末装置１−２の外観を、図１６（ｂ）に示している。ここで、図１６（ｂ）の表示装置３の（イ）部は、上述のステップＳ１３−２の動作の結果として、表示していたメッセージを消去している。また、図１６（ｂ）のサブ表示装置６−２には、上述のステップＳ１４−２の動作の結果として、天気予報を表示している。これは、図１５で説明したサブ表示装置設定データ保存部８２−２の前面表示設定データ８２−２−２の中の、初期表示情報として、「天気予報」が設定されているためである。ここで、図１５で説明したサブ表示装置設定データ保存部８２−２の前面表示設定データ８２−２−２の中の、初期表示情報として、「スロットマシンの補佐情報」を表示するよう設定しておいたものとする。このような設定を行えば、図１６（ｂ）のサブ表示装置６−２は、スロットマシンゲームの補佐情報（状態表示の情報、スロットマシンゲームの操作方法の情報、など）を表示するようになる。スロットマシンゲームの補佐情報の一例は、既に、図１０（ｂ）のサブ表示装置６−１に示している。
【０１８９】
変化後の回転角度が１８０度でない場合（ステップＳ１２−２でＮｏ）、制御部９−２は、表示装置３に、サブ表示装置６−２を開くよう要求するメッセージを表示する（ステップＳ１５−２）。変化後の回転角度が１８０度でない場合の携帯端末装置１−２の外観は、先に説明した図１６（ａ）と同様であり、図１６（ａ）の表示装置３の（イ）部は、サブ表示装置６−２を開くよう要求するメッセージを表示している。
【０１９０】
図１８に戻り、制御部９−２は、ステップＳ１１−２で受信したサブ表示装置６−２の回転角度が、３６０度であるか否かの判定を行う（図１８のステップＳ１６）。
【０１９１】
回転角度が３６０度である場合（ステップＳ１６でＹｅｓ）、制御部９−２は、ステップＳ１５−２で表示装置３に表示した、サブ表示装置６−２を開くよう要求するメッセージ、を消去する（ステップＳ１７）。次に、制御部９−２は、サブ表示装置６−２に、スロットマシンのゲームで使用するキー入力装置５のキーのキートップに、当該キーの特定の機能（例えば、ゲームの開始、終了、停止）を表示する（ステップＳ１８）。ステップＳ１８でのキートップの表示例は、図１２（ｄ）で示したものである。このステップＳ１８において、制御部９−２は、キー入力装置５のキーの機能をも、サブ表示装置の表示機能に応じて切り替える。
【０１９２】
回転角度が３６０度でない場合（ステップＳ１６でＮｏ）、制御部９−２は、表示装置３に、サブ表示装置６−２を開くよう要求するメッセージを表示する（ステップＳ１９）。ステップＳ１９で制御部９−２が、表示装置３に、サブ表示装置６−２を開くよう要求するメッセージを表示した場合の表示例は、既に、図１６（ｂ）の表示装置３の（ハ）部に示している。
【０１９３】
以上、本発明の携帯端末装置の第２の実施の形態について説明した。
【０１９４】
上述したように、本発明の第２の実施の形態の携帯端末装置（携帯端末装置１−２）は、表示装置（表示装置３）を含む第１の筐体（第１の筐体２）と、キー入力装置（キー入力装置５）を含む第２の筐体（第２の筐体４）が連結されている。そして、第２の筐体に回動可能に接続されたサブ表示装置（サブ表示装置６−２）を含んでいる。
【０１９５】
そして、携帯端末装置は、サブ表示装置の回転角度に応じて、表示装置又は／及びサブ表示装置に表示する情報を変更する制御部（制御部９−２）を含んでいる。
【０１９６】
従って、本実施の形態によれば、携帯端末装置１−２の第１の筐体２の表示領域を、サブ表示装置６−２により拡大することが可能となる。また、サブ表示装置６−２の回転角度に応じて、第１の筐体２の表示装置３及び／又はサブ表示装置６−２に表示する情報を変更することが可能となっているため、ユーザにとって見易く扱い易い携帯端末装置１−２とすることが可能となる。
【０１９７】
さらに、携帯端末装置は、上記に加え、サブ表示装置の回転角度（サブ表示装置の第２の筐体に対する回転角度）を検出する回転角度検出部（サブ表示装置回転角度検出部６１−２）を含んでいる。
【０１９８】
また、制御部は、回転角度検出部からの出力により、サブ表示装置が第２の筐体の背面に位置したと判定した場合、サブ表示装置にデザイン画像を表示するようにしている。
【０１９９】
さらに、制御部は、回転角度検出部からの出力により、サブ表示装置が第２の筐体と略同一向きになる状態となったと判定した場合、サブ表示装置には表示装置に表示されている情報を補佐する情報を表示するようにしている。
【０２００】
したがって、本実施の形態によれば、サブ表示装置６−２によるデザイン表示によって、携帯端末装置の筐体の背面におけるデザイン性を確保することができる。また、サブ表示装置６−２の回転により表示装置３の補助的な表示装置として利用できるので、一度に表示可能な情報量を増やすことができ、情報の確認が容易になる。
【０２０１】
また、サブ表示装置は、不揮発性表示媒体で構成されるようになっている。
【０２０２】
したがって、制御部により、常に確認したい情報をサブ表示装置に表示するようにすれば、その情報を携帯端末装置の電源を切っても表示し続け、使い勝手が良い。
【０２０３】
さらに、制御部は、回転角度検出部からの出力により、サブ表示装置が第２の筐体の正面側（キー入力装置側）に位置したと判定された場合、サブ表示装置にキー入力装置の備えるキーの機能を表示するようにしている。
【０２０４】
特に、本実施の形態の場合、携帯端末装置は、放送受信部６７を含み、放送受信中に、サブ表示装置の回転動作（３６０度回転）に応じてサブ表示装置に図１２（ｅ）に示すように、テレビの操作情報を表示する。また、たとえば、ゲーム中には、図１２（ｄ）に示すように、特定の機能を表示する。したがって、携帯端末装置の機能に応じて、使い勝手を増す効果が得られる。
【０２０５】
また、制御部は、回転角度検出部からの出力により、サブ表示装置が第１の筐体または第２の筐体と予め決められた回転角度に位置しない状態となったと判定した場合、サブ表示装置の表示を消去するようにしても良い。この場合、サブ表示装置の操作中における消費電力の低減が可能となる。但し、これに限られるものではなく、表示を継続しても良い。
【０２０６】
［第３の実施の形態］
次に、本発明による第３の実施の形態について、図１９〜図２４を参照して説明する。
【０２０７】
図１９は、本発明の第３の実施の形態の携帯端末装置の外観図である。
【０２０８】
図１９に示す携帯端末装置１−３は、図１（ａ）に示した携帯端末装置１−１の第１の筐体２に接続されるサブ表示装置６−１に加え、第２の筐体４にもサブ表示装置６−２を接続した構成をなすものである。すなわち、図１９の携帯端末装置１−３は、第１の実施の形態の携帯端末装置１−１と、第２の実施の形態の携帯端末装置１−２とを併合した構成となっている。従って、第３の実施の形態において第１の実施の形態及び第２の実施の形態に示す構成要素に対応するものは同一の参照数字または符号を付し、その説明を極力省略するものとする。
【０２０９】
図１９の携帯端末装置１−３は、第１の筐体２、第２の筐体４、サブ表示装置６−１、サブ表示装置６−２を含んでいる。そして、携帯端末装置１−３においては、サブ表示装置６−１は、第１の筐体２の背面から、第１の筐体２とサブ表示装置６−１が略同一平面をなす状態となるまで、１８０度回動可能となっている。また、サブ表示装置６−２は、第２の筐体４の背面から正面まで、３６０度回動可能となっている。
【０２１０】
図１９のサブ表示装置６−１及びサブ表示装置６−２は、第１の実施の形態及び第２の実施の形態で説明したと同様に、不揮発性表示媒体で構成されている。そして、サブ表示装置６−１、６−２の不揮発性表示媒体はカバーで覆われており、カバーは、可視光を良好に透過する材質で形成されている。なお、サブ表示装置６−２のカバーは、第２の実施の形態で説明したと同様のタッチパネルで形成されている。
【０２１１】
次に、図２０を参照して、本実施の形態の携帯端末装置１−３の回路構成について説明する。
【０２１２】
図２０は、本発明の第３の実施の形態の携帯端末装置の回路構成の一例を示すブロック図である。
【０２１３】
図２０に示す携帯端末装置１−３は、表示装置３、表示制御部３０、記憶部８−３、サブ表示装置６−１、サブ表示装置制御部６０−１、サブ表示装置回転角度検出部６１−１、を含んでいる。加えて、携帯端末装置１−３は、サブ表示装置６−２、サブ表示装置制御部６０−２、サブ表示装置回転角度検出部６１−２、キー入力装置５、無線通信部６５、送受話器６６、放送受信部６７、制御部９−３を含んでいる。
【０２１４】
表示装置３及び表示制御部３０は、第１の実施の形態に示したものと同一であるため、その説明を省略する。
【０２１５】
記憶部８−３は、携帯端末装置１−３で動作する複数ｎ本のアプリケーションプログラム８０（８０−１〜８０−ｎ）を記憶している。また、記憶部８−３は、サブ表示装置６−１及びサブ表示装置６−２のそれぞれに表示を行う場合、どのような表示をどのように行うかの設定情報を記載するサブ表示装置設定情報テーブル８１−１及びサブ表示装置設定情報テーブル８１−２を記憶している。さらに、記憶部８−３は、サブ表示装置６−１及びサブ表示装置６−２のそれぞれが回動した回転角度に応じて、サブ表示装置６−１、６−２に表示する情報を設定記憶するサブ表示装置設定データ保存部８２−１、８２−２を有している。
【０２１６】
またさらに、記憶部８−３は、図示していないが、携帯端末装置１−３が動作するために必要なオペレーティングシステムや設定情報、或いは、各種ユーザデータなどをも記憶している。
【０２１７】
サブ表示装置６−１、サブ表示装置制御部６０−１、サブ表示装置回転角度検出部６１−１は、第１の実施の形態に示したものと同一であるため、その説明を省略する。
【０２１８】
サブ表示装置６−２、サブ表示装置制御部６０−２、サブ表示装置回転角度検出部６１−２は、第２の実施の形態に示したものと同一であるため、その説明を省略する。
【０２１９】
キー入力装置５、無線通信部６５、送受話器６６、放送受信部６７は、第２の実施の形態に示したものと同一であるため、その説明を省略する。
【０２２０】
制御部９−３は、図示しないＣＰＵを含んでおり、ＣＰＵの動作により携帯端末装置１−３全体の動作制御を行う。なお、ＣＰＵを動作させるためのアプリケーションプログラムなどは、前述したように、記憶部８−３に記憶されている。
【０２２１】
また、制御部９−３は、図示しないタッチパネル制御機構を含んでいる。このタッチパネル制御機構は、第２の実施の形態に示したものと同一であるため、その説明を省略する。
【０２２２】
また、携帯端末装置１−３の記憶部８−３が記憶しているサブ表示装置設定情報テーブル８１−１及びサブ表示装置設定データ保存部８２−１は、第１の実施の形態に示したものと同一であるため、その説明を省略する。
【０２２３】
さらに、携帯端末装置１−３の記憶部８−３が記憶しているサブ表示装置設定情報テーブル８１−２及びサブ表示装置設定データ保存部８２−２は、第２の実施の形態に示したものと同一であるため、その説明を省略する。
【０２２４】
次に、図２１〜図２４を参照して、本実施の形態の携帯端末装置１−３の動作について説明する。
【０２２５】
図２１は、第３の実施の形態の動作の第１の例を示す図である。
【０２２６】
図２１の携帯端末装置１−３は、第１の実施の形態に示したと同様のスロットマシンのゲームを行っている場合の、表示装置３、サブ表示装置６−１、サブ表示装置６−２の表示画面の例を示している。
【０２２７】
図２１の携帯端末装置１−３は、第１の実施の形態の図１１のフローチャートで示した動作を行い、サブ表示装置６−１が第１の筐体２と同一平面となるよう回動した状態になったものである。また、図２１の携帯端末装置１−３は、第２の実施の形態の図１７のフローチャートで示した動作を行い、サブ表示装置６−２が第２の筐体４の表面に回動した状態になったものである。そして、サブ表示装置６−２には、スロットマシンのゲームで使用するキー入力装置５の各キーの機能が表示されている。
【０２２８】
ここで、携帯端末装置１−３の表示装置３には、スロットマシンのゲームを実行する画面が表示されている。また、サブ表示装置６−１には、表示装置３のスロットマシンのゲームの補佐情報としての状態表示がなされている。ここでの状態表示の情報は、第１の実施の形態の図１０（ｂ）のサブ表示装置６−１の状態表示の情報とは異なる情報を表示している。すなわち、図２１のサブ表示装置６−１の状態表示の情報には、図１０（ｂ）では表示していなかった回転数（ゲームの回数を示す）や前日の大当り回数などが新たに表示されている。これは、サブ表示装置６−２にキー入力装置５の各キーの機能が表示されているため、図１０（ｂ）で表示していた操作方法を、サブ表示装置６−１上に表示しなくて済むようになったためである。
【０２２９】
図２２は、第３の実施の形態の動作の第２の例を示す図である。
【０２３０】
図２２の携帯端末装置１−３は、地上デジタル放送を視聴中の例を示しており、携帯端末装置１−３を横向きにして、表示装置３に横向きに表示されるテレビ映像を、左側から視聴している状態を示している。そして、キー入力装置５のキートップに表示される文字や記号も、左側から横向きに見るのに適するよう、横向きに表示されている。また、サブ表示装置６−１には、地上デジタル放送と連動して受信しているデータ放送の画像を表示するようにしている。
【０２３１】
図２３は、第３の実施の形態の動作の第３の例を示す図である。
【０２３２】
図２３の携帯端末装置１−３は、第１の筐体２と第２の筐体４を９０度に折り畳んだ状態を示している。そして、第１の筐体２の背面にサブ表示装置６−１が回動して、デザイン画像を表示している。また、第２の筐体４の背面にサブ表示装置６−２が回動して、サブ表示装置６−１と同様のデザイン画像を表示した状態を示している。
【０２３３】
このようなデザイン画像の表示により、携帯端末装置１−３のデザインを、ユーザの好むようなデザインに変更して表示することが可能となる。
【０２３４】
図２４は、第３の実施の形態の動作の第４の例を示す図である。
【０２３５】
図２４の携帯端末装置１−３は、第１の筐体２と第２の筐体４を折り畳み、第２の筐体４の背面にサブ表示装置６−２が密着している状態となっている。そして、第２の筐体４の背面を、簡易的なメモ帳表示や、電子メモ書き装置として使用する場合を示している。第２の筐体４の背面に密着しているサブ表示装置６−２は、タッチパネルで形成されたカバーを有しているため、そのタッチパネル上にペンなどを用いて手書きの文字などを入力するものである。これは、携帯端末装置１−３の制御部９−３に、タッチパネルから入力された線分の情報を文字として認識する手書き文字認識機能を搭載することにより実現可能となるものである。また、携帯端末装置１−３の筐体の側面などに押しボタンを実装し、この押しボタンの押下により、携帯端末装置１−３の第２の筐体４の背面を、デザイン画像の表示から電子メモ書き装置へと切り替えるようにする。
【０２３６】
このように、第２の筐体４の背面を電子メモ書き装置として使用出来るようにすることにより、携帯端末装置１−３の利便性が更に向上することとなる。
【０２３７】
以上、本発明の携帯端末装置の第３の実施の形態について説明した。
【０２３８】
本発明の第３の実施の形態の携帯端末装置（携帯端末装置１−３）は、表示装置（第１の筐体２）とキー入力装置（第２の筐体４）が相互に接続されている。そして、表示装置の一辺にヒンジ（ヒンジ７−１）を介して接続されたサブ表示装置（サブ表示装置６−１）を含んでいる。また、キー入力装置の一辺にヒンジ（ヒンジ７−２）を介して接続されたサブ表示装置（サブ表示装置６−２）を含んでいる。
【０２３９】
そして、携帯端末装置は、サブ表示装置（６−１）の回転角度、及びサブ表示装置（６−２）の回転角度に応じて、表示装置又は／及びサブ表示装置（６−１、６−２）に表示する情報を変更する制御部（制御部９−３）を含んでいる。
【０２４０】
また、携帯端末装置は、携帯端末装置の使用向きが縦位置あるいは横位置になったと判定した場合、サブ表示装置６−２にはキーの機能を、携帯端末装置の使用向きに適する向きで表示するようになっている。
【０２４１】
従って、本実施の形態によれば、携帯端末装置１−３の第１の筐体２の表示領域を、サブ表示装置（６−１、６−２）により第１、第２の実施の形態に比べてさらに拡大することが可能となる。また、サブ表示装置（６−１、６−２）の回転角度に応じて、第１の筐体２及び／又はサブ表示装置に表示する情報を変更することが可能となっているため、ユーザにとって見易く扱い易い携帯端末装置１−３とすることが可能となる。
【０２４２】
［第４の実施の形態］
次に、本発明による第４の実施の形態について、図２５を参照して説明する。
【０２４３】
図２５は、本発明の第４の実施の形態の携帯端末装置の外観図である。
【０２４４】
図２５に示す携帯端末装置１−４は、第３の実施の形態で説明した携帯端末装置１−３と以下の点でのみ異なるものである。
【０２４５】
すなわち、第３の実施の形態の携帯端末装置１は、第１の筐体２と第２の筐体４とが、ヒンジなどを介して相互に折り畳み可能な構造となっているものとして説明した。これに対し、第４の実施の形態における携帯端末装置１−４は、表示装置３及びキー入力装置５を含む全体を、一体型の共通の筐体８に含ませるように構成したものである。従って、第４の実施の形態において第３の実施の形態に示す構成要素に対応するものは同一の参照数字または符号を付し、その説明を極力省略するものとする。
【０２４６】
図２５の携帯端末装置１−４は、筐体８の上部（第１の部分）に表示装置３と筐体８の下部（第２の部分）にキー入力装置５を含んでいる。また、表示装置３を含む筐体８の上部には、ヒンジ７−１を介してサブ表示装置６−１が接続され、キー入力装置５を含む筐体８の下部には、ヒンジ７−２を介してサブ表示装置６−２が接続されている。
【０２４７】
そして、携帯端末装置１−４において、サブ表示装置６−１は、表示装置３を含む筐体８の上部の背面から、表示装置３とサブ表示装置６−１が略同一平面をなす状態となるまで、１８０度回動可能となっている。また、サブ表示装置６−２は、キー入力装置５を含む筐体８の下部の正面から背面まで、３６０度回動可能となっている。
【０２４８】
なお、図２５の携帯端末装置１−４の回路構成及び動作は、第３の実施の形態で説明したものと同様である。
【０２４９】
また、図２５の携帯端末装置１−４においては、第１、第２の実施の形態に示したように、サブ表示装置６−１と６−２の何れか一方のみを、携帯端末装置１−４に接続するようにしてもよい。
【０２５０】
以上説明したように、本実施の形態によれば、表示装置３とキー入力装置５を含む全体が、一体型の筐体８に含まれる携帯端末装置１−４であっても、表示装置３の表示領域を、サブ表示装置（６−１、６−２）により拡大することが可能となる。また、サブ表示装置（６−１、６−２）の回転角度に応じて、サブ表示装置に表示する情報を変更することが可能となっているため、ユーザにとって見易く扱い易い携帯端末装置１−４とすることが可能となる。
【０２５１】
［第５の実施の形態］
次に、本発明による第５の実施の形態について、図２６〜図３０を参照して説明する。
【０２５２】
図２６は、本発明の第５の実施の形態の携帯端末装置の外観図である。
【０２５３】
図２６に示す携帯端末装置１−５は、第３の実施の形態で説明した携帯端末装置１−３と以下の点でのみ異なるものである。
【０２５４】
すなわち、第３の実施の形態の携帯端末装置１のサブ表示装置６は、第１の筐体２、第２の筐体４と、ヒンジ７を介して回動可能に接続される構造となっているものとして説明した。これに対し、第５の実施の形態における携帯端末装置１−５のサブ表示装置６−１、６−２は、それぞれ第１の筐体２、第２の筐体４に、スライド可能に接続されているものである。従って、第５の実施の形態において第３の実施の形態に示す構成要素に対応するものは同一の参照数字または符号を付し、その説明を極力省略するものとする。
【０２５５】
図２６（ａ）、（ｂ）の携帯端末装置１−５は、第１の筐体２、第２の筐体４、サブ表示装置６−１、サブ表示装置６−２を含んでいる。そして、携帯端末装置１−５のサブ表示装置６−１、６−２は、それぞれ第１の筐体２、第２の筐体４に、Ｐ１、Ｐ２方向にスライド可能に接続されている。図２６（ａ）において、サブ表示装置６−１は、第１の筐体２の正面の表示装置３の上に位置する状態、またサブ表示装置６−２は、第２の筐体４の上側（キー入力装置５の上）に位置する状態となっている。以下、この状態を、閉じた状態という。
【０２５６】
図２６（ｂ）の携帯端末装置１−５は、サブ表示装置６−１が第１の筐体２上をＰ１方向にスライドして開いた状態を示しており、サブ表示装置６−２が第２の筐体４上をＰ２方向にスライドして開いた状態を示している。
【０２５７】
図２６のサブ表示装置６−１、６−２は、第３の実施の形態で説明したと同様に、不揮発性表示媒体で構成されている。但し、本実施の形態では、透過型の不揮発性表示媒体を使用するものとする。そして、サブ表示装置６−１、６−２の不揮発性表示媒体はカバーで覆われており、カバーは、可視光を良好に透過する材質で形成されている。なお、サブ表示装置６−２のカバーは、第３の実施の形態で説明したと同様のタッチパネルで形成されている。
【０２５８】
次に、図２７を参照して、本実施の形態の携帯端末装置１−５の回路構成について説明する。
【０２５９】
図２７は、第５の実施の形態の携帯端末装置の回路構成の一例を示すブロック図である。
【０２６０】
図２７に示す携帯端末装置１−５は、表示装置３、表示制御部３０、記憶部８−５、サブ表示装置６−１、サブ表示装置制御部６０−１、サブ表示装置スライド検出部６２−１、を含んでいる。加えて、携帯端末装置１−５は、サブ表示装置６−２、サブ表示装置制御部６０−２、サブ表示装置スライド検出部６２−２、キー入力装置５、無線通信部６５、送受話器６６、放送受信部６７、制御部９−５を含んでいる。
【０２６１】
表示装置３及び表示制御部３０は、第３の実施の形態に示したものと同一であるため、その説明を省略する。
【０２６２】
記憶部８−５は、携帯端末装置１−５で動作する複数ｎ本のアプリケーションプログラム８０（８０−１〜８０−ｎ）を記憶している。また、記憶部８−５は、サブ表示装置６−１及びサブ表示装置６−２のそれぞれに表示を行う場合、どのような表示をどのように行うかの設定情報を記載するサブ表示装置スライド情報テーブル８３−１及びサブ表示装置スライド情報テーブル８３−２を記憶している。さらに、記憶部８−５は、サブ表示装置６−１及びサブ表示装置６−２のそれぞれがスライドした場合に、サブ表示装置６−１、６−２に表示する情報を設定記憶するサブ表示装置スライドデータ保存部８４−１、８４−２を有している。
【０２６３】
またさらに、記憶部８−５は、図示していないが、携帯端末装置１−５が動作するために必要なオペレーティングシステムや設定情報、或いは、各種ユーザデータなどをも記憶している。
【０２６４】
サブ表示装置６−１、サブ表示装置制御部６０−１は、第３の実施の形態に示したものと同一であるため、その説明を省略する。
【０２６５】
サブ表示装置スライド検出部６２−１は、サブ表示装置６−１が第１の筐体２上をスライドした位置を検出する。そして、サブ表示装置スライド検出部６２−１は、サブ表示装置６−１が第１の筐体２上をスライドし開いた状態であることを検出した場合、或いは、閉じた状態に戻ったことを検出した場合、そのことを制御部９−５に通知する。
【０２６６】
サブ表示装置６−２、サブ表示装置制御部６０−２は、第３の実施の形態に示したものと同一であるため、その説明を省略する。
【０２６７】
サブ表示装置スライド検出部６２−２は、サブ表示装置６−２が第２の筐体４上をスライドした位置を検出する。そして、サブ表示装置スライド検出部６２−２は、サブ表示装置６−２が第２の筐体４上をスライドし開いた状態であることを検出した場合、或いは、閉じた状態に戻ったことを検出した場合、そのことを制御部９−５に通知する。
【０２６８】
キー入力装置５、無線通信部６５、送受話器６６、放送受信部６７は、第３の実施の形態に示したものと同一であるため、その説明を省略する。
【０２６９】
制御部９−５は、図示しないＣＰＵを含んでおり、ＣＰＵの動作により携帯端末装置１−５全体の動作制御を行う。なお、ＣＰＵを動作させるためのアプリケーションプログラムなどは、前述したように、記憶部８−５に記憶されている。
【０２７０】
また、制御部９−５は、図示しないタッチパネル制御機構を含んでいる。このタッチパネル制御機構は、第３の実施の形態に示したものと同一であるため、その説明を省略する。
【０２７１】
次に、図２８を参照し、携帯端末装置１−５の記憶部８−５が記憶しているサブ表示装置スライド情報テーブル８３−１、８３−２について説明する。
【０２７２】
図２８は、第５の実施の形態のサブ表示装置スライド情報テーブルの一例を示す図である。
【０２７３】
図２８（ａ）のサブ表示装置スライド情報テーブル８３−１は、サブ表示装置６−１に表示を行う場合、どのような表示をどのように行うかの設定情報を記載するテーブルである。
【０２７４】
そして、サブ表示装置スライド情報テーブル８３−１は、８３−１−１０行に示すように、サブ表示装置スライド開閉の欄（８３−１−１列）と、制御部処理内容の欄（８３−１−２列）とを含んでいる。
【０２７５】
サブ表示装置スライド開閉の欄（８３−１−１列）には、サブ表示装置６−１が第１の筐体２上をスライドし開いた状態となっている場合を、スライド「開」として記載している（８３−１−１１行）。また、サブ表示装置６−１が第１の筐体２上に位置しており閉じた状態となっている場合を、スライド「閉」として記載している（８３−１−１２行）。
【０２７６】
制御部処理内容の欄（８３−１−２列）には、携帯端末装置１−５の制御部９−５が実行する処理の内容が記載されている。
【０２７７】
具体的には、サブ表示装置６−１がスライドし、スライド「開」のとき（８３−１−１１行）、制御部９−５は以下のような処理を行う。すなわち、制御部９−５は、記憶部８−５のサブ表示装置スライドデータ保存部８４−１から表示設定データ（後述する）を読み込む。そして、当該表示設定データに従って、第１の筐体２上からスライドし開いた状態となっているサブ表示装置６−１に表示すべき情報を、サブ表示装置制御部６０−１を介して表示する。
【０２７８】
また、サブ表示装置６−１がスライド「閉」の状態のとき（８３−１−１２行）、制御部９−５はサブ表示装置６−１の表示を消去する。この場合、サブ表示装置６−１は透過型の不揮発性表示媒体であるため、サブ表示装置６−１の下側に位置する表示部３の表示内容が見えるようになる。
【０２７９】
図２８（ｂ）のサブ表示装置スライド情報テーブル８３−２は、サブ表示装置６−２に表示を行う場合、どのような表示をどのように行うかの設定情報を記載するテーブルである。
【０２８０】
そして、サブ表示装置スライド情報テーブル８３−２は、８３−２−１０行に示すように、サブ表示装置スライド開閉の欄（８３−２−１列）と、制御部処理内容の欄（８３−２−２列）とを含んでいる。
【０２８１】
サブ表示装置スライド開閉の欄（８３−２−１列）には、サブ表示装置６−２が第２の筐体４上をスライドし開いた状態となっている場合を、スライド「開」として記載している（８３−２−１１行）。また、サブ表示装置６−２が第２の筐体４上をスライドしておらず閉じた状態となっている場合を、スライド「閉」として記載している（８３−２−１２行）。
【０２８２】
制御部処理内容の欄（８３−２−２列）には、携帯端末装置１−５の制御部９−５が実行する処理の内容が記載されている。
【０２８３】
具体的には、サブ表示装置６−２がスライドし、スライド「開」のとき（８３−２−１１行）、制御部９−５は以下のような処理を行う。すなわち、制御部９−５は、記憶部８−５のサブ表示装置スライドデータ保存部８４−２から表示設定データ（後述する）を読み込む。そして、当該表示設定データに従って、第２の筐体４上からスライドし開いた状態となっているサブ表示装置６−２に表示すべき情報を、サブ表示装置制御部６０−２を介して表示する。
【０２８４】
また、サブ表示装置６−２がスライド「閉」の状態のとき（８３−２−１２行）、制御部９−５はサブ表示装置６−２の表示を消去する。
【０２８５】
次に、図２９を参照し、携帯端末装置１−５の記憶部８−５が記憶しているサブ表示装置スライドデータ保存部８４−１、８４−２について説明する。
【０２８６】
図２９は、第５の実施の形態のサブ表示装置スライドデータ保存部の一例を示す図である。
【０２８７】
図２９（ａ）のサブ表示装置スライドデータ保存部８４−１は、サブ表示装置６−１がスライドし開いた場合に、サブ表示装置６−１に表示する情報を設定記憶する表示設定データ８４−１−１を含んでいる。
【０２８８】
図２９（ａ）に示す表示設定データ８４−１−１としては、サブ表示装置６−１がスライドし開いたときの初期表示を「する」か「しない」を示す初期表示のデータ（８４−１−１−１行）、初期表示を「する」ときの情報が何かを示す初期表示情報のデータ（８４−１−１−２行）、などが有る。なお、表示設定データ８４−１−１へのデータの設定方法は、第１の実施の形態の図８で説明したと同様の方法で行うものとする。
【０２８９】
図２９（ａ）の表示設定データ８４−１−１には、初期表示を「する」こととし（８４−１−１−１行）、初期表示情報としては「天気予報」を表示するよう設定されている（８４−１−１−２行）。
【０２９０】
図２９（ｂ）のサブ表示装置スライドデータ保存部８４−２は、サブ表示装置６−２がスライドし開いた場合に、サブ表示装置６−２に表示する情報を設定記憶する表示設定データ８４−２−１を含んでいる。
【０２９１】
図２９（ｂ）に示す表示設定データ８４−２−１としては、サブ表示装置６−２がスライドしたときの初期表示を「する」か「しない」を示す初期表示のデータ（８４−２−１−１行）、初期表示を「する」ときの情報が何かを示す初期表示情報のデータ（８４−２−１−２行）、などが有る。なお、表示設定データ８４−２−１へのデータの設定方法は、図２９（ａ）と同様に、第１の実施の形態の図８で説明したと同様の方法で行うものとする。
【０２９２】
図２９（ｂ）の表示設定データ８４−２−１には、初期表示を「する」こととし（８４−２−１−１行）、初期表示情報としては「ニュース」を表示するよう設定されている（８４−２−１−２行）。
【０２９３】
次に、図３０を参照して、本実施の形態の携帯端末装置１−５の動作について説明する。なお、本実施の形態の動作の説明においては、携帯端末装置１−５が動作中であるものとする。例えば、携帯端末装置１−５が待ち受け状態であっても良いし、何れかのアプリケーションプログラムの実行中であっても良い。
【０２９４】
図３０は、第５の実施の形態の動作の一例を示すフローチャートである。
【０２９５】
先ず、サブ表示装置６−１がスライドした場合の動作について説明する。
【０２９６】
携帯端末装置１−５のサブ表示装置スライド検出部６２−１は、サブ表示装置６−１がスライドしたか否かを検出する（図３０のステップＳ５１）。スライドしたことを検出しない場合（ステップＳ５１でＮｏ）、ステップＳ５１に戻り、再度、スライドしたか否かの検出を行う。
【０２９７】
サブ表示装置６−１がスライドしたことを検出した場合（ステップＳ５１でＹｅｓ）、サブ表示装置スライド検出部６２−１は、制御部９−５に対し、スライドしたサブ表示装置６−１が開いたか閉じたかの何れかを通知する。制御部９−５は、サブ表示装置６−１が開いたのか、或いは、閉じたのかを判定する（ステップＳ５２）。
【０２９８】
サブ表示装置６−１が開いた場合（ステップＳ５２で「開」）、制御部９−５は、サブ表示装置スライド情報テーブル８３−１を参照する。そして、制御部９−５は、サブ表示装置スライド開閉の欄（図２８（ａ）の８３−１−１列）の「開」の行（８３−１−１１行）の制御部処理内容の欄（８３−１−２列）の処理を実行する。制御部処理内容の欄には、表示設定データを読み込んで表示を行う旨が記載されている。そこで、制御部９−５は、サブ表示装置スライドデータ保存部８４−１の表示設定データ８４−１−１（図２９（ａ））に記載の処理を行う。すなわち、図２９（ａ）の表示設定データ８４−１−１に記載のように、サブ表示装置６−１に「天気予報」を表示する（ステップＳ５３）。そして、ステップＳ５１に戻る。
【０２９９】
サブ表示装置６−１が閉じた場合（ステップＳ５２で「閉」）、制御部９−５は、サブ表示装置スライド情報テーブル８３−１を参照する。そして、制御部９−５は、サブ表示装置スライド開閉の欄（図２８（ａ）の８３−１−１列）の「閉」の行（８３−１−１２行）の制御部処理内容の欄（８３−１−２列）の処理を実行する。制御部処理内容の欄には、表示消去を行う旨が記載されている。そこで、制御部９−５は、サブ表示装置６−１の表示を消去する（ステップＳ５４）。そして、ステップＳ５１に戻る。なお、ステップＳ５４での表示を消去する動作は、表示消去の一例を示すものであり、表示を消去せず、それまでの表示を継続して表示するようにしてもよい。この動作は、上述のサブ表示装置スライド開閉の欄（図２８（ａ）の８３−１−１列）の「閉」の行（８３−１−１２行）の制御部処理内容の欄（８３−１−２列）に、表示継続を行う旨を記載しておくことにより実行可能となる。
【０３００】
次に、サブ表示装置６−２がスライドした場合の動作について説明する。サブ表示装置６−２がスライドした場合の動作は、上述したサブ表示装置６−１がスライドした場合の動作と同様であるが、制御部９−５が参照するテーブル等が異なっている。従って、再度、図３０のフローチャートを参照して説明を行うものとする。
【０３０１】
携帯端末装置１−５のサブ表示装置スライド検出部６２−２は、サブ表示装置６−２がスライドしたか否かを検出する（図３０のステップＳ５１）。スライドしたことを検出しない場合（ステップＳ５１でＮｏ）、ステップＳ５１に戻り、再度、スライドしたか否かの検出を行う。
【０３０２】
サブ表示装置６−２がスライドしたことを検出した場合（ステップＳ５１でＹｅｓ）、サブ表示装置スライド検出部６２−２は、制御部９−５に対し、スライドしたサブ表示装置６−２が開いたか閉じたかの何れかを通知する。制御部９−５は、サブ表示装置６−２が開いたのか、或いは、閉じたのかを判定する（ステップＳ５２）。
【０３０３】
サブ表示装置６−２が開いた場合（ステップＳ５２で「開」）、制御部９−５は、サブ表示装置スライド情報テーブル８３−２を参照する。そして、制御部９−５は、サブ表示装置スライド開閉の欄（図２８（ｂ）の８３−２−１列）の「開」の行（８３−２−１１行）の制御部処理内容の欄（８３−２−２列）の処理を実行する。制御部処理内容の欄には、表示設定データを読み込んで表示を行う旨が記載されている。そこで、制御部９−５は、サブ表示装置スライドデータ保存部８４−２の表示設定データ８４−２−１（図２９（ｂ））に記載の処理を行う。すなわち、図２９（ｂ）の表示設定データ８４−２−１に記載のように、サブ表示装置６−２に「ニュース」を表示する（ステップＳ５３）。そして、ステップＳ５１に戻る。
【０３０４】
サブ表示装置６−２が閉じた場合（ステップＳ５２で「閉」）、制御部９−５は、サブ表示装置スライド情報テーブル８３−２を参照する。そして、制御部９−５は、サブ表示装置スライド開閉の欄（図２８（ｂ）の８３−２−１列）の「閉」の行（８３−２−１２行）の制御部処理内容の欄（８３−２−２列）の処理を実行する。制御部処理内容の欄には、表示消去を行う旨が記載されている。そこで、制御部９−５は、サブ表示装置６−２の表示を消去する（ステップＳ５４）。そして、ステップＳ５１に戻る。なお、ステップＳ５４での表示を消去する動作は、表示消去の一例を示すものであり、表示を消去せず、それまでの表示を継続して表示するようにしてもよい。この動作は、上述のサブ表示装置スライド開閉の欄（図２８（ｂ）の８３−２−１列）の「閉」の行（８３−２−１２行）の制御部処理内容の欄（８３−２−２列）に、表示継続を行う旨を記載しておくことにより実行可能となる。
【０３０５】
なお、上述したサブ表示装置６−１或いは６−２がスライドした何れの場合においても、携帯端末装置１−５で何れかのアプリケーションプログラムが実行中である場合には、制御部９−５は以下の処理を行う。すなわち、上述したステップＳ５３或いはステップＳ５４の処理を行った制御部９−５は、当該アプリケーションプログラムに対し、サブ表示装置６−１或いは６−２が開いた、或いは、閉じた、ということを通知する。通知を受けたアプリケーションプログラムは、表示部３及びサブ表示装置６−１、６−２への表示内容を、自アプリケーションプログラムに適するように変更することが可能となる。例えば、第１〜第３の実施の形態で示したような表示を行うことが可能となる。
【０３０６】
なお、図２６の携帯端末装置１−５においては、第１、第２の実施の形態に示したように、サブ表示装置６−１と６−２の何れか一方のみを、携帯端末装置１−５にスライド可能に接続するようにしてもよい。
【０３０７】
以上説明したように、本実施の形態によれば、サブ表示装置６−１、６−２が、第１の筐体２、第２の筐体４にスライド可能に接続された携帯端末装置１−５であっても、表示装置３の表示領域を、サブ表示装置（６−１、６−２）により拡大することが可能となる。また、サブ表示装置（６−１、６−２）のスライドの状態に応じて、サブ表示装置に表示する情報を変更することが可能となっているため、ユーザにとって見易く扱い易い携帯端末装置１−５とすることが可能となる。
【図面の簡単な説明】
【０３０８】
【図１】本発明の携帯端末装置の実施の形態を示す外観図である。
【図２】第１の実施の形態の携帯端末装置の回路構成の代表的ブロック図である。
【図３】第１の実施の形態の携帯端末装置の回路構成の具体例を示すブロック図である。
【図４】サブ表示装置設定情報テーブルの一例を示す図である。
【図５】サブ表示装置設定データ保存部の一例を示す図である。
【図６】背面表示設定データの設定方法の一例を示す図である。
【図７】サブ表示装置の背面表示として表示される情報の一例を示す図である。
【図８】前面表示設定データの設定方法の一例を示す図である。
【図９】サブ表示装置の前面表示として表示される情報の一例を示す図である。
【図１０】第１の実施の形態の動作画面の一例を示す図である。
【図１１】第１の実施の形態の動作の一例を示すフローチャートである。
【図１２】本発明の第２の実施の形態の携帯端末装置の外観図である。
【図１３】第２の実施の形態の携帯端末装置の回路構成の一例を示すブロック図である。
【図１４】サブ表示装置設定情報テーブルの一例を示す図である。
【図１５】サブ表示装置設定データ保存部の一例を示す図である。
【図１６】第２の実施の形態の動作画面の一例を示す図である。
【図１７】第２の実施の形態の動作の一例を示す第１のフローチャートである。
【図１８】第２の実施の形態の動作の一例を示す第２のフローチャートである。
【図１９】本発明の第３の実施の形態の携帯端末装置の外観図である。
【図２０】第３の実施の形態の携帯端末装置の回路構成の一例を示すブロック図である。
【図２１】第３の実施の形態の動作の第１の例を示す図である。
【図２２】第３の実施の形態の動作の第２の例を示す図である。
【図２３】第３の実施の形態の動作の第３の例を示す図である。
【図２４】第３の実施の形態の動作の第４の例を示す図である。
【図２５】本発明の第４の実施の形態の携帯端末装置の外観図である。
【図２６】本発明の第５の実施の形態の携帯端末装置の外観図である。
【図２７】第５の実施の形態の携帯端末装置の回路構成の一例を示すブロック図である。
【図２８】第５の実施の形態のサブ表示装置スライド情報テーブルの一例を示す図である。
【図２９】第５の実施の形態のサブ表示装置スライドデータ保存部の一例を示す図である。
【図３０】第５の実施の形態の動作の一例を示すフローチャートである。
【符号の説明】
【０３０９】
１    携帯端末装置
２    第１の筐体
３    表示装置
４    第２の筐体
５    キー入力装置
６    サブ表示装置
７    ヒンジ
８    筐体
３０    表示制御部
６０    サブ表示装置制御部
６１    サブ表示装置回転角度検出部
６２    サブ表示装置スライド検出部
６５    無線通信部
６６    送受話器
６７    放送受信部
８    記憶部
８０    アプリケーションプログラム
８１    サブ表示装置設定情報テーブル
８２    サブ表示装置設定データ保存部
８３    サブ表示装置スライド情報テーブル
８４    サブ表示装置スライドデータ保存部
９    制御部
【図１】
0005010485.tif 000002
【図２】
0005010485.tif 000003
【図３】
0005010485.tif 000004
【図４】
0005010485.tif 000005
【図５】
0005010485.tif 000006
【図６】
0005010485.tif 000007
【図７】
0005010485.tif 000008
【図８】
0005010485.tif 000009
【図９】
0005010485.tif 000010
【図１０】
0005010485.tif 000011
【図１１】
0005010485.tif 000012
【図１２】
0005010485.tif 000013
【図１３】
0005010485.tif 000014
【図１４】
0005010485.tif 000015
【図１５】
0005010485.tif 000016
【図１６】
0005010485.tif 000017
【図１７】
0005010485.tif 000018
【図１８】
0005010485.tif 000019
【図１９】
0005010485.tif 000020
【図２０】
0005010485.tif 000021
【図２１】
0005010485.tif 000022
【図２２】
0005010485.tif 000023
【図２３】
0005010485.tif 000024
【図２４】
0005010485.tif 000025
【図２５】
0005010485.tif 000026
【図２６】
0005010485.tif 000027
【図２７】
0005010485.tif 000028
【図２８】
0005010485.tif 000029
【図２９】
0005010485.tif 000030
【図３０】
0005010485.tif 000031